(57)【要約】【課題】フィルムディスペンサを提供する。【解決手段】化粧品フィルムディスペンサは、ユーザによって保持されるボディとボディに収容されるアクチュエータとを含み、分与剤を供給するフィルムと連係して使用される。アクチュエータは、フィルムを保持する供給リールとフィルムを受け入れる巻き取りリールとを含む。アームが巻き取りリールと係合してフィルムを前進させ、アーム端部の先端がフィルムをユーザに接して置く。また、新しいフィルムが開示される。【選択図】図５Ｃ
2010502390.tif 000002
【特許請求の範囲】
【請求項１】
ユーザによって保持されるボディと、
前記ボディ内に収容され、分与剤を供給するフィルムと連係して使用されるアクチュエータと、
を備える化粧品フィルムディスペンサであって、
前記アクチュエータは、
前記フィルムを保持する供給リールおよび前記フィルムを受け入れる巻き取りリールと、
前記フィルムを前進させるために前記巻き取りリールと係合するアームと、
ユーザに接して前記フィルムを置く前記アームの端部における先端と、
を備える、化粧品フィルムディスペンサ。
【請求項２】
フィンガーグリップの１つと、ユーザによって前記アクチュエータと選択的に係合する前記アクチュエータに接続されたダイアルとをさらに備える、請求項１に記載の化粧品フィルムディスペンサ。
【請求項３】
前記供給リールと前記巻き取りリールはエンドレスベルトによって動作可能に接続される、請求項１に記載の化粧品フィルムディスペンサ。
【請求項４】
前記巻き取りリールはピニオンギヤを備え、前記アームは前記巻き取りリールギヤと動作可能に係合するラチェットを備える、請求項１に記載の化粧品フィルムディスペンサ。
【請求項５】
前記アームは前記フィルムの平面内で先端に向かう傾斜部分を含む、請求項４に記載の化粧品フィルムディスペンサ。
【請求項６】
前記巻き取りリールは少ないバックラッシュで前記巻き取りリールを回転させるために前記ピニオンギヤと係合する歯止めを備える、請求項１に記載の化粧品フィルムディスペンサ。
【請求項７】
０．１２５〜０．５００インチの幅を有するフィルムをさらに備える、請求項１に記載の化粧品フィルムディスペンサ。
【請求項８】
前記フィルムは不織布を備える、請求項７に記載の化粧品フィルムディスペンサ。
【請求項９】
前記フィルムは、ポリエステル、ポリエチレン、エチレンメチルアクリレート、ポリ塩化ビニル、塩化三フッ化エチレン、酢酸ビニル、ポリウレタン、ナイロン、ポリスチレン、および、エチレンビニルアルコール、セルロース、およびニトロセルロースの群から選択される重合体を備える、請求項７に記載の化粧品フィルムディスペンサ。
【請求項１０】
アプリケータユニットをさらに備え、該アプリケータユニットはマスカラブラシ、グロスアプリケータ、および整髪ブラシの１つを備える、請求項１に記載の化粧品フィルムディスペンサ。
【請求項１１】
ユーザによって保持されるボディと、
前記ボディ内に収容され、分与剤を供給するフィルムと連係して使用されるアクチュエータと、
を備える化粧品フィルムディスペンサであって、
前記アクチュエータは、
前記フィルムを保持する単一のリールと、
前記フィルムを前進させるために前記リールと係合するアームと、
ユーザに接して前記フィルムを置く前記アームの端部における先端と、
前記ユーザによって前記アクチュエータと選択的に係合させるために前記アクチュエータに接続されるフィンガーグリップと、
を備える、化粧品フィルムディスペンサ。
【請求項１２】
エンドレスループで形成されるフィルムをさらに備える、請求項１１に記載の化粧品フィルムディスペンサ。
【請求項１３】
メービウスの形を有するフィルムをさらに備える、請求項１１に記載の化粧品フィルムディスペンサ。
【請求項１４】
再生されるフィルムをさらに備える、請求項１１に記載の化粧品フィルムディスペンサ。
【請求項１５】
前記リールはピニオンギヤを備え、前記アームは前記ピニオンギヤと動作可能に係合するラチェットを備える、請求項１１に記載の化粧品フィルムディスペンサ。
【請求項１６】
ユーザによって保持されるボディと、
前記ボディ内に収容され、分与剤を供給するフィルムと連係して使用されるアクチュエータと、
を備える化粧品フィルムディスペンサであって、
前記アクチュエータは、
前記フィルムを保持するリールと、
前記フィルムを前進させるために前記リールと係合されるアームと、
前記ユーザに接して前記フィルムを置く前記アームの端部における先端と、
を備え、
前記フィルムは積層フィルムと第１の反応物質用の空間を提供する複数の小袋（ｓａｃｈｅｔｓ）とを備え、
前記先端は少なくとも前記第１の反応物質を放出させる前記小袋を備える、
化粧品フィルムディスペンサ。
【請求項１７】
前記複数の小袋の少なくとも１つの小袋は第２の反応物質を備え、該第２の反応物質は該第２の反応物質が放出されるときに前記第１の反応物質と反応を生じさせ、該反応はユーザに有益な作用をもたらす、請求項１６に記載の化粧品フィルムディスペンサ。
【請求項１８】
前記反応は自己発熱、重合、ｐＨに敏感な交互活性（ａｌｔｅｒｎａｔｉｎｇ  ａｃｔｉｖｅｓ）、および接着のうちの１つを備える、請求項１７に記載の化粧品フィルムディスペンサ。
【請求項１９】
ユーザによって保持されるボディと、
前記ボディ内に収容され、分与剤を供給するフィルムと連係して使用されるアクチュエータと、
を備える化粧品フィルムディスペンサであって、
前記アクチュエータは、
化粧品フィルムを保持するリールと、
前記化粧品フィルムを前進させるために前記リールと係合されるアームと、
前記ユーザに接して前記フィルムを置く前記アームの端部における先端と、
を備え、
前記化粧品フィルムは、
ポリエステルベース層を備えるキャリアフィルムと、
前記キャリアフィルムによって支持されるトランスファフィルムであって、該トランスファフィルムは前記ユーザの体に適用される分与剤を備え、前記トランスファフィルムは０．０５ｍｍ〜０．５ｍｍの厚さを有する、トランスファフィルムと、
を備え、
前記先端は、前記分与剤が前記ユーザの体に適用されるように前記キャリアフィルムと前記トランスファフィルムとを分離する、
化粧品フィルムディスペンサ。
【請求項２０】
前記トランスファフィルムはポリエステルベース層およびシリコンベース層の一方を備える、請求項１９に記載の化粧品フィルムディスペンサ。
【請求項２１】
ユーザによって保持されるボディと、
化粧品フィルムを保持するリールと、
前記化粧品フィルムを前進させるために前記リールと係合されるユーザ操作可能なダイアルと、
前記ユーザに接して前記フィルムを置く前記アームの端部における先端と、
を備える化粧品フィルムディスペンサであって、
前記ダイアルは該ダイアルの回転に対して所定の距離だけ前記フィルムを前進させる、
化粧品フィルムディスペンサ
【請求項２２】
前記フィルムはエンドレスのメービウスの形を備える、請求項２１に記載の化粧品フィルムディスペンサ。
【請求項２３】
前記ボディはマスカラブラシの棒と嵌合するのに適した大きさを備える、請求項２１に記載の化粧品フィルムディスペンサ。
【請求項２４】
前記ボディは前記ダイアルが中を通って延びるスロットを備える、請求項２１に記載の化粧品フィルムディスペンサ。
【請求項２５】
前記リールはラチェットおよび歯止めアセンブリを備える、請求項２１に記載の化粧品フィルムディスペンサ。
【発明の詳細な説明】
【技術分野】
【０００１】
本発明は、フィルム、組成物、および、フィルム構造物の形態での１つまたはそれ以上の化粧剤および／または治療薬を適用する装置と方法とに関する。
【背景技術】
【０００２】
ユーザは、自分たちの容姿を引き立てるために化粧品をより容易に適用する方法を求めている。この分野における解決法として、ドライネイルエナメルストリップ、自動接着性ネイルコーティング、およびネイルアップリケが挙げられる。
【０００３】
ドライネイルエナメルストリップは２００４年１２月２９日に特許文献１として出願された「Ｎａｉｌ  Ｓｔｒｉｐｓ  Ｈａｖｉｎｇ  ａ  Ｃｒｏｓｓｌｉｎｋｅｄ  Ｐｏｌｙｍｅｒ  Ｔｏｐｃｏａｔ」において公知であり、これは２００５年１２月２９日に特許文献２として出願されており、その全体が参照として本明細書に組み入れられる。
【０００４】
本発明は、手足の爪に化粧効果の持続性と輝きとを与えるネイルストリップと、このようなネイルストリップを製造し適用する方法とを開示する。ネイルエナメルストリップは、紫外線源を使用しなくても化粧効果の持続性能と輝きなど、所望の効果を提供する１つまたはそれ以上のネイルエナメル層を有するネイルエナメルフィルムを有する。少なくとも１つのネイルエナメル層、好ましくは多層フィルムのトップコート層は、架橋重合体を有する。重合体の架橋結合はエナメルストリップの製造中に行なわれ、これには適切な硬化手段、典型的には、紫外線硬化または熱硬化が採用されうる。
【０００５】
ネイルストリップは「Ｓｅｌｆ  Ａｄｈｅｓｉｖｅ  Ｎａｉｌ  Ｃｏａｔｉｎｇｓ」と題する１９９０年２月２７日に交付された特許文献３からも公知であり、その全体が参照として本明細書に組み入れられる。本発明は、望ましく使用されるまで気密の包装材料内に保管される１組のフィンガーネイルコーティングまたは半固形のマニキュアフィルムの製造方法と、このように形成される製品とに関する。また、本発明は、この製造方法とは無関係な製品そのものに関する。
【０００６】
適用に際して、ユーザは、フィルムをパッケージから取り出し、フィルムのストリップを各ネイルコーティングに分離し、フィルムから粘着性の裏紙を剥がしてフィルムを各爪に置く。この後、ネイルコーティングの端部またはへりが爪の形状と寸法に正確に一致するように切り取られる。この後、各爪の形をしたネイルフィルムは、これらを爪にしっかり押し付けることによって爪に接着固定される。この後、非常に短い時間、爪はさらに空気乾燥されるか、あるいは「硬化」される。しかし、乾燥時間中のネイルコーティングは心地よい香りを放つことになり、これは乾燥中の液状ネイルエナメルが発する香りによく似ているが液状ネイルエナメルが発する香りは芳香レベルがかなり低い。
【０００７】
全体が参照として本明細書に組み入れられる「Ｄｒｙ  Ｎａｉｌ  Ｐｏｌｉｓｈ  Ａｐｐｌｉｑｕｅ  ａｎｄ  Ｍｅｔｈｏｄ  ｏｆ  Ｍａｎｕｆａｃｔｕｒｉｎｇ  Ｓａｍｅ」と題する特許文献４は、改良された自動接着性のネイルアップリケまたはラミネート（ｌａｍｉｎａｔｅ）、その製造方法、およびこの製造法で使用される液状ネイルエナメルを開示している。
【０００８】
様々な処方の高粘度液状ネイルエナメルは、１００°Ｆ以上、好ましくは１００〜１５０°Ｆで加熱される。剥離紙（ｒｅｌｅａｓｅ  ｌｉｎｅｒ  ｐａｐｅｒ）またはプラスチックフィルムの基材には、少なくとも２層の材料が付着される。
【０００９】
接着剤コーティングが基材に施され、加熱された液状ネイルエナメルが接着層の上に塗られる。任意選択で、本発明による高粘度液状ネイルエナメルの第２のコーティングが施されてもよい。追加的または代替的に、グリッター（ｇｌｉｔｔｅｒ）またはマイカまたは同様の望ましい粒状物質が透明塗料または半透明塗料（すなわち、ネイルエナメルに似ているが着色顔料をほとんどまたは全く使用していない）と混合されてもよい。ホログラフィー像のような印刷ステップがこの時点で適用されてもよい。
【００１０】
以上の方法は、的確な解決法を提供するが、多くの場合、ユーザのニーズに対処するためにさらなる改良が必要とされる場合がある。たとえば、フィルムを介して液状の化粧品をユーザに提供し、長時間の輸送中および使用されるまでは化粧品を引き続き液状に保ちたいことが多い。
【先行技術文献】
【特許文献】
【００１１】
【特許文献１】米国特許出願第６０／６４０、０３０号明細書
【特許文献２】国際特許出願ＰＣＴ／ＵＳ第０５／４６７６９号明細書
【特許文献３】米国特許第４，９０３，８４０号明細書
【特許文献４】国際公開第０５／１１２８７３号パンフレット
【特許文献５】米国特許出願第６０／９５３，３６２号明細書
【特許文献６】米国特許第５，１９２，３８６号明細書
【発明の概要】
【発明が解決しようとする課題】
【００１２】
上記のニーズは、化粧品アプリケータおよび／または分与装置に組み込まれる本発明によるフィルムディスペンサによって満たされる。
【課題を解決するための手段】
【００１３】
本発明の一実施形態によると、分与装置はハウジング、第１のリール、および第２のリールを備え、第１のリールはフィルムを供給し、第２のリールはこのフィルムを使用後に保管する。そのとき、両リールはリールの第１の回転方向に同期して動作される。そのとき、リールの一方はピニオンを有するギヤに動作可能に連結される。ユーザによるアクセスが可能なリニアアクチュエータがピニオンを回転させるラックを含む。ギヤはラチェットホイールを含み、リールは１つまたはそれ以上の歯止めを含む。ラチェットアセンブリは、第１の方向の回転運動を可能にするが、第２の方向の回転運動を抑制する。ラチェットアセンブリは、さらに第１の方向の増分回転を提供し、したがって、使用中のフィルムは張力を受け続ける。
【００１４】
フィルムと連係して作動して表面を少なくし、ユーザによる一層優れた管理を可能にするアプリケータ先端が開示される。
【発明の効果】
【００１５】
本発明の一実施形態によると、アプリケータ先端は、フィルムと連係して別の化粧剤および／または治療薬を供給する容器を備える。
【００１６】
さらに、重合体ベースのフィルム、紙ベースの織物、または重合体ベースの発泡体（または、これらの組合せ）など、機能性不織フィルム群からのフィルムが新しい実績と便益を提供する。これらのフィルムは、液体の反応混合物、着色および無着色化粧品（光学的なぼやけ（ｏｐｔｉｃａｌ  ｂｌｕｒｒｉｎｇ））、化粧落し、または目標とするスキンケアの用途などを含めるのに適している。利用されうるフィルムは、単純なフロック面から特有の機能性を有する多層コンポジットフィルムにまで及ぶ。たとえば、ベースフィルムは、皮膚に対する強力な接着力を有しうるうえに、最上部フィルムは、光沢、色彩、および光学的なぼやけなどの特性を有しうる。さらに、積層フィルムは、独立してはいるがしっかり噛み合わされたマイクロドットがキャリアリボン／フィルムから皮膚に移動されるように細かく分割されうる。
【００１７】
（ｉ）新たな皮膚接着の親和力および手法と、（ｉｉ）皮膚表面への光学効果に基づく規則的なパターン形成（表皮パターン形成）とぼやけと、（ｉｉｉ）適用時に密閉小袋（ｓｅａｌｅｄ  ｓａｃｈｅｔｓ）から放出されうる反応混合物と、（ｉｖ）フィルム技術の可搬性、およびフィルム技術のマスカラ（マスカラ消し）、ネイルラッカー、ファンデーションコンシーラー、アイシャドウ、スキントリートメントなどへの統合と、に基づいて化粧剤および／または治療薬を供給しうるフィルムが開示される。
【図面の簡単な説明】
【００１８】
【図１】本発明の一実施形態による、第１の動作状態における本発明によるフィルムディスペンサを備える化粧品アプリケータの一部分の正面図である。
【図２】図１の本発明によるフィルムディスペンサを備える化粧品アプリケータの一部分の側面図である。
【図３】図１の第２の動作状態における本発明によるフィルムディスペンサを備える化粧品アプリケータの一部分の正面図である。
【図４】図２の断面図である。
【図５Ａ】本発明の一実施形態によるアクチュエータの等角図である。
【図５Ｂ】図５Ａのアクチュエータの立面図である。
【図５Ｃ】本発明の一実施形態によるアクチュエータの等角図である。
【図５Ｄ】図５Ｃのアクチュエータの立面図である。
【図６Ａ】本発明の一実施形態による第２のリールおよびギヤの等角図である。
【図６Ｂ】第２のリール、ギヤ、およびアームの等角図であり、ピニオンおよびラックの簡略図が示される。
【図６Ｃ】第２のリールおよびギヤの下側の等角図である。
【図７】本発明の別の実施形態による、第１の動作状態における本発明によるフィルムディスペンサを備える化粧品アプリケータの一部分の正面図である。
【図８】図７の第２の動作状態における本発明によるフィルムディスペンサを有する化粧品アプリケータの一部分の正面図である。
【図９】図７の本発明によるフィルムディスペンサの断面図である。
【図１０】単一のリールアクチュエータを備える本発明によるフィルムディスペンサを備える化粧品アプリケータの一部分の正面断面図である。
【図１１】単一のリールアクチュエータを備える本発明によるフィルムディスペンサのアクチュエータの等角図である。
【図１２】図１１のアクチュエータのリールおよびギヤアセンブリの下側の等角図である。
【図１３】本発明の一実施形態によるフィルム配置の簡略等角図である。
【図１４】本発明の別の実施形態による、本発明によるフィルムディスペンサを備える化粧品アプリケータの断面図である。
【図１５】本発明の別の実施形態による、本発明によるフィルムディスペンサを備える化粧品アプリケータの正面図である。
【図１６】第１の実施形態による図１５の本発明によるフィルムディスペンサを有する化粧品アプリケータの断面図である。
【図１７】第２の実施形態による図１５の本発明によるフィルムディスペンサを有する化粧品アプリケータの断面図である。
【図１８】本発明の別の実施形態による、本発明によるフィルムディスペンサを備える化粧品アプリケータの等角図である。
【図１９】図１８の本発明によるフィルムディスペンサを備える化粧品アプリケータの部分等角断面図である。
【図２０】図１８の本発明によるフィルムディスペンサを備える化粧品アプリケータの部分等角断面である。
【図２１】図１８の部分等角拡大図である。
【図２２Ａ】本発明の第１の実施形態による分与装置の最上部の透視等角図（ｓｅｅ−ｔｈｒｏｕｇｈ  ｉｓｏｍｅｔｒｉｃ  ｖｉｅｗ）である。
【図２２Ｂ】本発明の第１の実施形態による分与装置の最下部の透視等角図である。
【図２３】図２２の分与装置の最下部の断面図である。
【図２４】図２２の分与装置の等角図である。
【図２５】本発明の一実施形態による、非係合位置におけるアームと固定支柱との等角図である。
【図２６】本発明の一実施形態による、係合位置におけるアームと固定支柱との等角図である。
【図２７】本発明の１つまたはそれ以上の実施形態による、ディスペンサおよび／または分与装置の１つまたはそれ以上の前述の実施形態と連係して使用されてもよいフィルムの等角図である。
【図２８】本発明の１つまたはそれ以上の実施形態による、ディスペンサおよび／または分与装置の１つまたはそれ以上の前述の実施形態と連係して使用されてもよいフィルムの等角図である。
【図２９】本発明の１つまたはそれ以上の実施形態による、ディスペンサおよび／または分与装置の１つまたはそれ以上の前述の実施形態と連係して使用されてもよいフィルムの等角図である。
【図３０】本発明の１つまたはそれ以上の実施形態による、ディスペンサおよび／または分与装置の１つまたはそれ以上の前述の実施形態と連係して使用されてもよいフィルムの等角図である。
【図３１】本発明の１つまたはそれ以上の実施形態による、ディスペンサおよび／または分与装置の１つまたはそれ以上の前述の実施形態と連係して使用されてもよいフィルムの等角図である。
【図３２】本発明の１つまたはそれ以上の実施形態による、ディスペンサおよび／または分与装置の１つまたはそれ以上の前述の実施形態と連係して使用されてもよい１つまたはそれ以上の前述のフィルムの例示的な使用法の等角図である。
【発明を実施するための形態】
【００１９】
ここで、添付図面に示される本発明のいくつかの実施形態を詳しく参照する。図面および説明では、可能な限り、同じかまたは類似の参照符号を使用して同じかまたは類似の部品またはステップに言及する。図面は、簡略化されたものであり正確な縮尺によるものではない。便宜と明確さのみを目的として、図面に関して、最上部、最下部、左、右、上、下、真上、上方、下方、真下、前方、後方などの方向を示す用語が使用されうる。これらおよび同様の方向を表わす用語は、本発明の範囲を何らかの方法で限定するものと理解されるべきではない。単語「取り付ける」「接続する」「結合する」および影響を表わす形態素を有する同様の用語は、必ずしも直接的な接続を意味するものではなく、間接要素または装置を介した接続も含む。
【００２０】
図１は、本発明の一実施形態による、第１の動作状態における本発明によるフィルムディスペンサを備える化粧品アプリケータの一部分の正面図である。図２は、図１の本発明によるフィルムディスペンサを備える化粧品アプリケータの一部分の側面図である。図３は、図１の第２の動作状態における本発明によるフィルムディスペンサを備える化粧品アプリケータの一部分の正面図である。図４は図３の断面図である。
【００２１】
ディスペンサ１０は、マスカラブラシ、グロスアプリケータ、整髪ブラシなどのアプリケータユニットに連結される棒１１に耐久的に接続される。当技術分野において公知のように、アプリケータユニットはマスカラ、グロス、または整髪用ジェルなどの化粧剤を分与するバイアルを含むキャップで保護されて保管されてもよい。
【００２２】
ディスペンサ１０は、本明細書でさらに教示されるように、本発明によるフィルム１４と連係して、洗浄剤、追加的な化粧剤、および／または治療薬（「分与剤」）をユーザが適用、分与、および／または供給するために使用されうるアクチュエータ１２を含む。たとえば、ディスペンサは、ユーザの体に既に適用されている化粧剤を落とすために皮膚との接触に適した機能性フィルムまたはリボン（「フィルム」）を前進させることによって再生可能な清浄表面を提供してもよい。
【００２３】
ディスペンサは、ハンドルとして使用可能なボディ１６をさらに含む。ボディ１６は、実質的に中空であり、かつボディ１６の内部空間全体にわたることが好ましいが必ずしもその必要がない空洞１７を備えていてもよい。ボディ１６は、アプリケータ先端（以下で説明される）が突き出た遠位開口部１６ａを含む。
【００２４】
ハンドルに対して移動可能なカバー１８は、アクチュエータとフィルムの部分を保護するために提供される。カバーは、ディスペンサ１２の長手方向軸の動きを可能にするインターロックタブによってボディに連結され、アーム３４に連結される。
【００２５】
１つまたはそれ以上のフィンガーグリップ２０が、ボディに対して好都合な位置に配置され、より好都合に使用するためにボディから持ち上げられるように形成される。フィンガーグリップは、カバーの取り扱いが容易になるように、ボディに固定的に配置されてもよく、好ましくは、カバーに結合されてもよい。好ましくは、１つのフィンガーグリップ２０ａはディスペンサ１０の片側に配置され、第２のフィンガーグリップ２０ｂはカバー１８に取り付けられたディスペンサ１０の反対側に取り付けられる。
【００２６】
図５Ａは、本発明の一実施形態によるアクチュエータの等角図である。図５Ｂは、図５Ａのアクチュエータの立面図である。アクチュエータ１２は、供給リールとして構成されることが好ましい第１のリール３０と、巻き取りリールとして構成されることが好ましい第２のリール３２とを含む。リールの各々は、ボディ１６と一体でありリール内のそれぞれの軸孔を通過する軸による無用な動きが抑制されうる。
【００２７】
第１のリールは、軸用の軸孔３０ａ、凹型コア３０ｂ、およびコアによって間隔があけられてコア３０ｂの真上で半径方向に突き出る１対の壁３０ｃ、３０ｄを含む。壁は、フィルムを受け入れるために適切な距離だけ間隔があけられる。各壁のへりは、ディスペンサ１０の製造中および／または動作中のフィルムの損傷を防止するために、少なくとも片側がテーパー加工されてもよい。
【００２８】
コアは、好ましくは、十分な供給量のフィルム１４を保管することができ、ユーザが必要とする所望量のフィルムを提供すために壁に対して深く陥凹される。好ましくは、コア３０ｂ、壁３０ｃ、３０ｄの寸法は、幅０．１２５〜０．５００インチ、長さ６〜２４インチで、本明細書でさらに教示されるようなフィルム機能の要求に応じて変動する可能性のある適切な厚さを有するフィルムを受け入れるために十分なサイズのものである。たとえば、フィルムは厚さが１／１０００〜１／１０インチ（約０．０２５〜２．５ｍｍ）であってもよい。
【００２９】
リール３０は、好ましくは柔軟な材料、すなわち弾性材料から作られたエンドレスベルト３３に係合する滑車３０ｅを含む。滑車３０ｅとベルト３３は、フィルム１４を前進させるために、あるいは、ギヤおよび／またはギヤ列を介して直接的または間接的に噛み合うギヤによって、第１のリールを第２のリールに動作可能に結合させることができる。
【００３０】
図６Ａは、本発明の一実施形態による、第２のリールおよびギヤの等角図である。図６Ｂは、第２のリール、ギヤ、およびアームの等角図であり、ピニオンおよびラックの簡略図が示される。図６Ｃは、第２のリールおよびギヤの下側の等角図である。
【００３１】
第２のリール３２は、コア３２ａと、コアによって間隔があけられてコアの真上で半径方向に突き出る１対の壁３２ｂ、３２ｃとを含む。コアは、フィルム１４がリールから外れるのを防止するために壁に対して陥凹されることが好ましい。壁は、フィルムを受け入れるために間隔が適切な距離だけあけられる。各壁のへりは、ディスペンサ１０の製造中および／または動作中のフィルムへの損傷を防止するために、少なくとも片側がテーパー加工されてもよい。
【００３２】
１つまたはそれ以上の実施形態において、リール３０および／または３２のコアは、フィルムを前進させるためにテクスチャード加工されてもよい。追加的または代替的に、コア（単数または複数）は別のゴム層、化学層、またはフィルムの前進に役立てるためにフィルムと相互作用する他の手段を含んでもよい。
【００３３】
１つまたはそれ以上の実施形態において、あるいは代替的に、コアの各々または両方は、フィルムがコア３０および／または３２と接触するときにフィルムと相互作用し、フィルムにより機能的な状態を提供すること、たとえば、フィルムの清浄、フィルムへの付着、またはフィルムの処理をすることによってフィルムを支援する、別の化学剤の容器または保管場所を含んでもよい。容器は、所定量の化粧剤および／または治療薬を含む空洞であってもよい。追加的または代替的に、容器は化粧剤および／または治療薬が含浸される可能性のある材料を備えてもよい。
【００３４】
第２のリールは、ピニオン３５ａを有するギヤ３５と相互作用するように配置される。ピニオンは、アーム３４に配置されたラック３６と噛み合わされ、フィンガーグリップでカバーを動かすと係合する。
【００３５】
第２のリール３２は、第２のリールと好ましくは一体的に成形されてギヤ３５のラチェットホイール３５ｂと係合する１つまたはそれ以上の歯止め３２ｆをさらに含む（図６Ｃ）。歯止めとラチェットホイール（「ラチェットアセンブリ」）は、第２のリールの第１の回転方向への増分回転運動を可能にする一方で第２の回転方向への増分回転運動を抑制する働きをする。別の実施形態において、ラチェットホイールはリールに設置され、歯止めはギヤに配置される。
【００３６】
本実施形態に戻ると、ギヤ３５は、第２のリール３２の内部を保護するディスク３５ｃをさらに含むが、第２のリールに対して独立に回転可能である。リール３２はディスク３５ｃに配置される。第１の方向の回転運動が可能になると、ギヤとリールは一緒に回転する。しかし、リールの回転運動がラチェットアセンブリによって第２の方向で抑制されると、ディスク３５ｃ、すなわち、ギヤ３５はリールと関係なく回転する。
【００３７】
ラック３６はカバー１８に結合され、フィンガーグリップ２０ａおよび２０ｂはカバー１８に結合される。さらに、カバー１８は、カバーの近位端に配置された停止部材１８ａ（図５Ｂ）を含む。停止部材は、ボディ１６に対してカバーの変位を制限する働きをし、短いタブ構造物を有してもよく、ラックの全長にわって成形されてレールとして成形されてもよい。そのとき、停止部材は、ボディの中に形成されあるいは切り欠きが入れられたガイド（図示せず）の中を好ましくは長手方向にスライドする。停止部材がガイドの端部、または中間にある所定位置に達すると、カバー１８はその方向へのさらなる移動が抑制される。
【００３８】
図１に示されるように、アーム３４ｄの遠位端にアプリケータ先端３７ａが取り付けられる。好ましくは、アプリケータ先端はくさび状に成形されてシリコンゴムのような柔軟な材料で構成される。アーム３４ｄの近位端は、ボディ１６に強固に取り付けられ、好ましくは後退不可能である。アーム３４ｄは、ユーザの体により心地よく適用されるように柔軟性があってもよい。
【００３９】
図５Ｃおよび５Ｄに戻ると、図５Ｃは本発明の一実施形態によるアクチュエータの等角図である。図５Ｄは、図５Ｃのアクチュエータの立面図である。アクチュエータ１２は、供給リールとして構成されることが好ましい第１のリール３０と、巻き取りリールとして構成されることが好ましい第２のリール３２とを含む。リールの各々は、ボディ１６と一体でありリール内のそれぞれの軸孔を通過する軸による無用な動きが抑制されてもよい。
【００４０】
第１のリールは、軸用の軸孔３０ａ、凹型コア３０ｂ、およびコアによって間隔があけられてコア３０ｂの真上で半径方向に突き出る１対の壁３０ｃ、３０ｄを含む。壁は、フィルムを受け入れるために適切な距離だけ間隔があけられる。各壁のへりは、ディスペンサ１０の製造中および／または動作中のフィルムの損傷を防止するために、少なくとも片側がテーパー加工されてもよい。
【００４１】
第２のリールは、ピニオン３５ａを有するギヤ３５と相互作用するように配置される。ピニオンは、アーム３４に配置されるラック３６と噛み合わされ、アームに動作可能に接続されるフィンガーグリップがユーザによって変位されると係合された状態になる。
【００４２】
アーム３４は、ラック３６の実質的にすべてが配置される第１の部分３４ａを含む。第１の部分は、第２のリール３２の直径と一致する長さを有する大きさで作られてもよい。アーム３４は、中心軸を平面Ｘ−Ｘ内に持つように配置される第２の部分３４ｃに第１の部分を連結する傾斜部分３４ｂをさらに含む。
【００４３】
アクチュエータ先端３７は、第２の部分３４ｃに隣接して、すなわち、アーム３４の遠位端に配置される。好ましくは、アプリケータ先端ははくさび状に成形されてシリコンゴムのような柔軟な材料で構成される。
【００４４】
アーム３４は好都合な位置でフィンガーグリップ２０ａに結合されるが、好ましくは部分３４ａで結合され、フィンガーグリップ２０ｂはアーム３４ではなくカバー１８に結合される。
【００４５】
上記の実施形態に関して、フィルム１４は、供給リール３０で保持され、ユーザの体に接触する可能性のあるアクチュエータ先端３７の真上を移動し、使用されるフィルムが巻き取られ、すなわち、第２のリール３２に保管されるように置かれることが好ましい。そのとき、フィルムは、フィルム１４の長手方向軸が作業面Ｘ−Ｘにあるように置かれることが好ましい。
【００４６】
使用のために保管されている分与装置１０を使用するために、ユーザはフィンガーグリップによってカバー１８をディスペンサ１０の遠位端に変位させる。図５Ａおよび５Ｂに関して、フィンガーグリップ２０は、カバー１８を移動させるために使用される。したがって、停止部材１８ａは、ボディ１６のガイドの中でボディの近位端に向かって移動し、フィルム１４、アーム３４ｄ、および遠位開口部１６ａで露出されたアプリケータ先端３７ａから離れる。そのとき、ラック３６はピニオン３５ａと係合してピニオンを回転させ、ホイール３５ｃによって歯止め３２ｆ（図６Ｃ）を回転させて第２のリール３２を回転させる。その結果、滑車とベルトの配置、または同様のギヤ配置が第１のリール３０を回転させる。フィルム１４の所定部分が第１のリールから移動方向Ａに先端まで移動する。
【００４７】
図５Ｃおよび５Ｄに関して、そのとき、フィンガーグリップ２０ａによってアーム３４はディスペンサの遠位端に向かって変位する。すると、ラック３６はピニオン３５ａに係合してピニオンを回転させ、ホイール３５ｃによって歯止め３２ｆ（図６Ｃ）を回転させて第２のリール３２を回転させる。その結果、滑車とベルトの配置、または同様のギヤ配置が第１のリール３０を回転させる。フィルム１４の所定部分が第１のリールから移動方向Ａに先端まで移動する。同時に、先端は、遠位開口部１６ａでボディ１６から突き出るように移動する。
【００４８】
図５Ａ〜５Ｄの具体的な実施形態とは関係なく、この後、ユーザは分与剤が要求される体の部分に先端を向ける。同時に、既に使用されているフィルム１４の部分は、アプリケータ先端から離れて保管および好ましくは最終廃棄のために移動方向Ｂの第２のリールに向かって移動する。
【００４９】
この後、ユーザは、フィンガーグリップ２０によってカバーをディスペンサ１０の近位端に向かって移動させる。ギヤ３５が回転する間、ラチェットアセンブリは第２のリール３２の回転運動を抑制する。
【００５０】
図６Ａ〜６Ｃのラチェットおよび歯止めアセンブリは、本発明の適切な実施形態において使用されてもよいが、特に図５Ａ〜５Ｄの実施形態に関して有利であることを理解されたい。
【００５１】
図７は、本発明の別の実施形態による、第１の動作状態における本発明によるフィルムディスペンサを備える化粧品アプリケータの一部分の正面図である。図８は、図７の第２の動作状態における本発明によるフィルムディスペンサを有する化粧品アプリケータの一部分の正面図である。図９は、図７の本発明によるフィルムディスペンサの断面図である。
【００５２】
そこで、ディスペンサ４０は、マスカラブラシ、グロスアプリケータ、整髪ブラシなどのアプリケータユニットが接続される棒４１に耐久的に接続される。当技術分野において公知のように、アプリケータユニットは、マスカラ、グロス、または整髪用ジェルなどの化粧剤を分与するバイアルを含むキャップで保護されて保管されてもよい。
【００５３】
ディスペンサ４０は、本発明によるフィルム４４と連係して、本発明の他の実施形態に関して教示されるような別の化粧剤および／または１つまたはそれ以上の分与剤をユーザが適用、分与、および／または供給するために使用しうるアクチュエータ４２を含む。
【００５４】
ディスペンサ４０は、アクチュエータとフィルムを収容する空洞４７を備えるボディ４６を含む。ボディは、スロットとして構成されたガイド４８を含み、ボタン５１は所定方向への移動に限定されている。ボディは、少なくともアプリケータ先端５３とフィルム４４の一部とが開口部４６ａを越えて延びうるように遠位端に開口部４６ａをさらに含む。
【００５５】
アクチュエータ４２は、フィルム４４を供給する第１のリール５０と、図５Ｃおよび５Ｄに関して、特に、アーム３４ｂ、第２のアーム部分３４ｃ、およびアクチュエータ先端３７に関して教示されたようなアーム５４に配置されるアプリケータ先端５３を越えて前進させた使用済み部分および／または未使用部分を巻き取る、すなわち、保管する第２のリール５２とを含む。リール５０および５２は、それぞれ、リール３０および３２と同様に構成されることが好ましく、コアによって間隔があけられるコアと、それぞれのコアの真上で半径方向に突き出る壁とを備える。
【００５６】
アーム５４は、第２のリールを回転させるためにギヤ５５のピニオン５５ａと噛み合うラック５６を含む。ボタン５１は、ガイドによってアームに動作可能に接続される。そのとき、ボタンが変位するとアームも変位する。
【００５７】
アクチュエータ４２は、第１の方向への回転運動を可能にし第２の方向への回転運動を阻止するための、第２のリール５２に関連する１つまたはそれ以上の歯止めと連係するギヤ５５に関連するラチェットホイールを含む。アクチュエータ１２に関してさらに教示されるように、アクチュエータ４２において、第１および第２のリールは滑車とベルトを介して動作可能に接続される。また、代替的に、第１および第２のリールは、直接ギヤまたは間接ギヤを介して動作可能に接続されてもよい。
【００５８】
ディスペンサ４０を操作するために、ボタン５１は、変位されてガイド４８の中をディスペンサの遠位端に向かって移動する。アーム５４がボタン５１によって移動して第１のリールからフィルムを供給する。アプリケータ先端が開口部４６ａを越えて延びると、フィルムもユーザが狙う範囲に前進させられる。したがって、フィルム４４は移動方向Ｃに前進する。そのとき、第２のリールの歯止めとラチェットホイールとにより、第２のリール５２は回転しない。
【００５９】
ユーザがフィルム４４の使用を終了すると、ボタンはユーザによって後退させられ、ラック５６はピニオン５５ａと噛み合う。すると、ピニオンの回転運動はラチェットホイールに伝えられ、ラチェットホイールは第２のリールの歯止めを回転させる。したがって、第２のリールの回転運動によって第１のリールが回転し、第２のリールに対して、一部分、好ましくはフィルムの使用済み部分を巻き取る。そのとき、フィルム４４は移動方向Ｄに前進する。
【００６０】
図１０〜１２は本発明の別の実施形態を示す。図１０は単一のリールアクチュエータを備える本発明によるフィルムディスペンサを備える化粧品アプリケータの一部分の正面断面図であり、先端がハウジングのボディに固定的に取り付けられ、カバーとアームが互いに固定的に接続される。図１１は、単一のリールアクチュエータを備える本発明によるフィルムディスペンサのアクチュエータの等角図である。図１２は、図１０および１１のアクチュエータのリールおよびギヤアセンブリの下側の等角図である。
【００６１】
ディスペンサ６０は、マスカラブラシ、グロスアプリケータ、整髪ブラシなどのアプリケータユニットが接続される棒６１に耐久的に接続される。当技術分野において公知のように、アプリケータユニットは、マスカラ、グロス、または整髪用ジェルなどの化粧剤を分与するバイアルを含むキャップで保護されて保管されてもよい。
【００６２】
ディスペンサ６０は、本発明によるフィルム６４と連係して、本発明の他の実施形態に関して教示されるような分与剤をユーザが適用、分与、および／または供給するために使用されうるアクチュエータ６２を含む。フィルム６４は、アクチュエータ６２に適した大きさのエンドレスループであってもよい。
【００６３】
ディスペンサ６０は、ハンドルとして使用可能で空洞６７を備えるボディ６６をさらに含む。さらに、ディスペンサ６０は、アクチュエータとフィルムの部分を保護するためにハンドルに対して移動可能なカバー６８を含む。カバーは、図５Ａおよび５Ｂのカバー１８とラック３６とに関して既に教示されたようなラック７６に連結される。
【００６４】
１つまたはそれ以上のフィンガーグリップ７０が、ボディに対して好都合な位置に配置され、より好都合に使用するためにボディから持ち上げられるように形成される。フィンガーグリップは、ボディに対するカバーの取り扱いが容易になるように、カバーに固定的に配置されてもよい。好ましくは、１つのフィンガーグリップ７０はディスペンサ６０の片側に配置され、第２のフィンガーグリップはディスペンサ６０の反対側に配置される。
【００６５】
ラック６６ｃはカバー６８に結合され、フィンガーグリップ７０ａおよび７０ｂはカバー６８に結合される。さらに、カバー６８は、カバーの近位端に配置される停止部材を含む。停止部材は、ボディ６６に対してカバーの変位を制限する働きをし、短いタブ構造物を有してもよく、ラックの全長にわって成形されてレールとして成形されてもよい。そのとき、停止部材は、ボディの中に形成されあるいは切り欠きが入れられたガイド（図示せず）の中を好ましくは長手方向にスライドする。停止部材がガイドの端部または中間にある所定位置に達すると、カバー６８はその方向へのさらなる移動が抑制される。
【００６６】
図１０に示されるように、ボディ６６の遠位端にアプリケータ先端６６ａが取り付けられる。好ましくは、アプリケータ先端は、くさび状に成形されてシリコンゴムのような柔軟な材料で構成される。アーム６６ｂの近位端は、カバー６８に強固に取り付けられ、好ましくは後退不可能である。アーム６６ｂは、ユーザの体により心地よく適用されるように柔軟性があってもよい。
【００６７】
使用のために保管されている分与装置６０を使用するために、ユーザはフィンガーグリップによってカバー６８をディスペンサ６０の遠位端に変位させる。図１０に関して、フィンガーグリップ７０は、ボディ６６に対してカバー６８を移動させるために使用される。したがって、停止部材は、ボディ６６のガイドの中をボディの近位端に向かって移動し、フィルム６４、アーム６６ｂ、および遠位開口部で露出されたアプリケータ先端６６ａから離れる。
【００６８】
そのとき、ラック６６ｃは、ピニオン７５ａと係合してピニオンを回転させ、ホイール７５ｃによって歯止め７２ｄをリール７２に対して回転させる。フィルム６４の所定部分はリールから先端まで移動する。
【００６９】
図１１の別の実施形態において、アクチュエータ７１は、コア７２ａと、コアによって間隔があけられコアを越えて半径方向に延びる壁７２ｂ、７２ｃとを有するリール７２を含む。リールはラック７６をアーム７８に係合するピニオン７５ａを有するギヤ７５と連係して配置され、アーム７８はアーム５４とボタン５１の相互作用に関して既に教示されたように移動されうる。ギヤ７５は、ギヤの動きを抑制するために軸を好ましくはボディの内側に形成することが可能な軸孔７５ｂを含む。
【００７０】
ギヤ７５は、リール７２の１つまたはそれ以上の歯止め７２ｄと動作可能に接続されるラチェットホイール７５ｄをさらに含む。歯止めとラチェットホイール（「ラチェットアセンブリ」）は、第２のリールの第１の回転方向への回転運動を可能にする一方で第２の回転方向への回転運動を抑制する働きをする。別の実施形態において、ラチェットホイールはリールに配置され、歯止めはギヤに配置される。
【００７１】
ギヤ７５は、リール７２の内部を保護するディスク７５ｃをさらに含むが、リールに対して独立に回転可能である。リール７２はディスク７５ｃに配置される。第１の方向の回転運動が可能になると、ギヤとリールは一緒に回転する。しかし、リールの回転運動がラチェットアセンブリによって第２の方向で抑制されると、ディスク７５ｃ、すなわち、ギヤ７５はリールと関係なく回転する。
【００７２】
アーム７８は直線状であってもよく、先端を内側に置くために湾曲した部分を含んでもよい。アーム７８は、既に教示されたアプリケータ先端３７などのアプリケータ先端に接続されており、または細長いアプリケータ先端７７を含んでもよい。そのとき、先端７７は、容器として構成されて別の化粧剤および／または治療薬を入れることができる。容器は、所定量の化粧剤および／または治療薬を含む先端またはアームにおける空洞であってもよい。追加的または代替的に、容器は化粧剤および／または治療薬が含浸される可能性のある材料を備えてもよい。
【００７３】
アプリケータ先端は、本明細書においてさらに教示されるように、ボディに固定される固定支柱７９に設けられた開口部に挿入可能であってもよい。
使用中に、ユーザがディスペンサ６０を係合したいとき、ユーザはフィンガーグリップによってカバー６８を変位させてアプリケータ先端の真上に配置されたフィルムを露出させる。したがって、ギヤ７５が回転している間、ラチェットアセンブリはリールの回転運動を抑制してフィルムを静止状態に保つ。この後、ユーザは分与剤が要求される体の部位に先端を向ける。
【００７４】
ユーザがディスペンサ６０を閉じたいとき、カバーがディスペンサ６０の遠位端に移動される。すると、ラックはピニオンに係合してピニオンを回転させ、ラチェットホイールによって歯止めを回転させてリールを回転させる。フィルム６４の所定部分はリールから先端に移動する。同時に、既に使用されているフィルムの一部分は移動されて再生されるか、または保管される。
【００７５】
図１３は、本発明の一実施形態によるフィルム配置の簡略等角図である。そのとき、フィルム６４はリール７２と支柱７９に配置される。エンドレスフィルムの規則正しい使用を円滑にするために、フィルムは、両面、すなわち、唯一の面が均一に摩耗するようなメービウスの帯である。フィルムは好都合なキラリティを有してもよい。
【００７６】
図１４は、本発明の別の実施形態による、本発明によるフィルムディスペンサを備える化粧品アプリケータの断面図である。ディスペンサ８０は、マスカラブラシ、グロスアプリケータ、整髪ブラシなどのアプリケータユニットが接続される棒８１に耐久的に接続される。当技術分野において公知のように、アプリケータユニットは、マスカラ、グロス、または整髪用ジェルなどの化粧剤を分与するバイアルを含むキャップで保護されて保管されてもよい。
【００７７】
ディスペンサ８０は、本発明によるフィルム８４と連係して、本発明の他の実施形態に関して教示されるような分与剤をユーザが適用、分与、および／または供給するために使用されうるアクチュエータ８２を含む。フィルム８４は、アクチュエータ８２に適した大きさのエンドレスループであってもよい。
【００７８】
ディスペンサ８０はボディ８６をさらに含む。ボディ４６に関して教示されるように、ボディ８６はアクチュエータとフィルムを収容する空洞８７を備える。ボディは、スロットとして構成されるガイドを含み、ボタンが所定方向への移動に限定されている。ボディは、少なくともアプリケータ先端９１とフィルム８４の一部分とが開口部８６ａを越えて延びうるように遠位端に開口部８６ａをさらに含む。
【００７９】
アクチュエータ６２に関して教示されるように、アクチュエータ８２は、コアと、コアを越えて半径方向に延びる壁とを有するリール８８を含む。リールはラック９２をアーム９４に係合するピニオン９０ａを有するギヤ９０と連係して配置される。ギヤ９０は、ギヤの動きを抑制するために軸を好ましくはボディ８６の内側に形成されることが可能な軸孔９０ｂを含む。
【００８０】
ギヤ９０は、リール８８の１つまたはそれ以上の歯止めと動作可能に接続されるラチェットホイールをさらに含む。歯止めとラチェットホイール（「ラチェットアセンブリ」）は、第２のリールの第１の回転方向への回転運動を可能にする一方で第２の回転方向への回転運動を抑制する働きをする。別の実施形態において、ラチェットホイールはリールに配置され、歯止めはギヤに配置される。
【００８１】
ギヤ９０は、リールの内部を保護するディスク９０ｃをさらに含むが、リールに対して独立に回転可能である。リール８８はディスク９０ｃに配置される。第１の方向の回転運動が可能になると、ギヤとリールは一緒に回転する。しかし、リールの回転運動がラチェットアセンブリによって第２の方向で抑制されると、ディスク９０ｃ、すなわち、ギヤ９０はリールと関係なく回転する。
【００８２】
アーム９４は、既に教示されたアプリケータ先端３７などのアプリケータ先端９１に接続されており、既に教示されたアプリケータ先端７７のような細長いアプリケータ先端を含んでもよい。そのとき、アプリケータ先端は、別の化粧剤または治療薬を入れることができるように構成されてもよい。アーム９４は、直線状であってもよく、たとえば、図５Ｃおよび５Ｄに関して既に教示されたようなリールの内側にアプリケータ先端９１を置くために湾曲した部分を含んでもよい。
【００８３】
本発明の一実施形態によると、たとえば、図７に関して教示されたように、アプリケータ先端は、ボディの開口部の近位にある支柱に設けられた開口内でスライド可能であってもよい。
【００８４】
本発明の一実施形態によると、フィルム８４は、メービウスの帯として構成されてもよい。
ディスペンサ８０を操作するために、たとえば、図７に示されるボタンは変位されてガイドの中をディスペンサの遠位端に向かって移動する。アーム９４はボタンによって移動する。アプリケータ先端が開口部８６ａを越えて延びると、フィルムもユーザが狙う範囲に前進させられる。そのとき、リールは回転しないが、ギヤ９０は回転する。さらに、ディスペンサ８０は、アクチュエータ６２と同様に構成されてもよい。
【００８５】
ユーザがフィルムの使用を終了すると、ボタンはユーザによって後退させられ、ラックはピニオンと噛み合う。すると、ピニオンの回転運動はラチェットホイールに伝えられ、ラチェットホイールはリールの歯止めを回転させ、そしてリールを回転させる。そのとき、フィルムは前進させられる。
【００８６】
図１５〜１７は本発明の別の実施形態を描く。図１５は、本発明の別の実施形態による、本発明によるフィルムディスペンサを備える化粧品アプリケータの正面図である。図１６は、第１の実施形態による図１５の本発明によるフィルムディスペンサを有する化粧品アプリケータの断面図である。図１７は、第２の実施形態による図１５の本発明によるフィルムディスペンサを有する化粧品アプリケータの断面図である。
【００８７】
図１５を参照すると、ディスペンサ１００は、マスカラブラシ、グロスアプリケータ、整髪ブラシなどのアプリケータユニットが接続される棒１０１に耐久的に接続される。当技術分野において公知のように、アプリケータユニットはマスカラ、グロス、または整髪用ジェルなどの化粧剤を分与するバイアルを含むキャップで保護されて保管されてもよい。
【００８８】
ディスペンサ１００はアプリケータ先端１０３を含むアクチュエータ１０２を含み、アプリケータ先端１０３の真上で本発明によるフィルム１０４がユーザによって使用されて分与剤を適用、分与、および／または供給しうる。アプリケータ先端１０３は、たとえば、図１に関して教示されるように後退不可能であってもよい。
【００８９】
ディスペンサは、ハンドルとして使用可能で空洞１０７を備えるボディ１０６をさらに含む。ディスペンサ１００は、ボディ１０６の外側の１つまたはそれ以上の位置で触れることができるユーザ操作可能なダイアル１０８をさらに含む。そのとき、ボディ１０６は、ダイアルの回転が可能なように位置する１つまたはそれ以上のスロット１０６ａを含む。
【００９０】
図１６に示される別の実施形態において、ディスペンサ１００ａは、アクチュエータ１０２ａに動作可能に接続されるダイアル１０８ａを含む。アクチュエータ１０２ａは、好ましくは、コアと、フィルム１０４ａを保持するコアを越えて延びる側壁とを有するリール１１０ａを含む。固定アプリケータ先端１０３ａが、設けられ、ディスペンサ１００ａの遠位端に設けられた開口部１０６ａを越えて延びる。
【００９１】
フィルム１０４ａは、リールとアプリケータ先端１０３ａとを横断する長さに適した長さを有するエンドレスループ内に設けられ、好ましくはアクチュエータ内にあることが教示される。
【００９２】
リール１１０ａは軸に装着されることが好ましい。そのとき、リール１１０ａには、軸の固定ラチェットホイールと係合する歯止めが設けられてもよい。また、リール１１０ａには、軸に設けられた歯止めと係合するラチェットホイールが設けられてもよい。
【００９３】
使用中、ユーザは、ダイアル１０８ａを回転させ、フィルムをダイアルの回転に対して所定距離だけ前進させる。そのとき、リールと軸のラチェット相互作用によってフィルムの増分運動のみが可能になる。フィルム１０４ａはメービウスの帯として構成されてもよいことを理解されたい。ホイール１０８ａは、好ましくは同軸でリール１１０ａと接続されて１０８ａがリール１００ａの増分運動を可能にしてもよい。さらに、ホイールとリールは歯止めとリールを有利に含む。
【００９４】
図１７に示されるさらに別の実施形態において、ディスペンサ１００ｂは、アクチュエータ１０２ｂに動作可能に接続されるダイアル１０８ｂを含む。アクチュエータ１０２ｂは、好ましくは、コアと、フィルム１０４ｂを保持するコアを越えて延びる側壁とを有する第１のリール１１０ｂを含む。固定アプリケータ先端１０３ｂが、設けられ、ディスペンサ１００ａの遠位端に設けられる開口部１０６ｂを越えて延びる。
【００９５】
リール１１０ｂは軸に装着される。そのとき、リール１００ｂには、軸の固定ラチェットホイールと係合する歯止めが設けられてもよい。また、リール１１０ｂには、軸に設けられる歯止めと係合するラチェットホイールが設けられてもよい。
【００９６】
さらに、第２のリール１１２がボディ１０６に固定される。第２のリールと第１のリールは、動作可能に接続されて、第１のリールから第２のリールに向かってフィルム１０４の少なくとも一部分を前進させる。そのとき、第１のリールと第２のリールは、他の実施形態に関して教示されたように滑車とベルト１１１とによって、あるいは、ギヤおよび／またはギヤ列を介して直接的または間接的に噛み合うギヤによって接続されてもよい。
フィルム１０４ｂは、所定の使用数に適した固定長として設けられる。
【００９７】
使用中、ユーザは、ダイアル１０８ｂを回転させ、これによって、第１のリールを回転させて回転運動を第２のリールに伝え、フィルムをダイアルの回転に対して所定距離だけ前進させる。そのとき、リールと軸のラチェット相互作用によってフィルムの増分運動のみが可能になる。リールは一緒に動作するのでベルトはピンと張った状態に保たれる。
【００９８】
図１８は、本発明の別の実施形態による、本発明によるフィルムディスペンサを備える化粧品アプリケータの等角図である。図１９は、図１８の本発明によるフィルムディスペンサを備える化粧品アプリケータの部分等角断面図である。図２０は、図１８の本発明によるフィルムディスペンサを備える化粧品アプリケータの部分等角断面である。図２１は図１８の部分等角拡大図である。そのとき、ディスペンサ１２０は、マスカラブラシ、グロスアプリケータ、整髪ブラシなどのアプリケータユニットが接続されるディスペンサ１２０の一部分と嵌合する陥凹部１２１ａを有する棒１２１と耐久的に接続される。当技術分野において公知のように、アプリケータユニットはマスカラ、グロス、または整髪用ジェルなどの化粧剤を分与するバイアルを含むキャップで保護されて保管されてもよい。
【００９９】
ディスペンサ１２０は、アプリケータ先端１２３を含むアクチュエータ１２２を含み、アプリケータ先端１０３の真上で本発明によるフィルムがユーザによって使用されて別の化粧剤および／または１つまたはそれ以上の治療効果を適用、分与、および／または提供しうる。たとえば、ディスペンサは、既にユーザの体に適用されている化粧剤を落とすために皮膚接触に適した機能性のフィルムまたはリボンを前進させることによって再生可能な清浄表面を提供する。
【０１００】
ディスペンサは、ハンドルとして使用可能で空洞１２７を備えるボディ１２６をさらに含む。ディスペンサ１２０は、ディスペンサに対して遠位置の内側にあり、ボディ１２６の外側の１つまたはそれ以上の位置で触れることができるユーザ操作可能なダイアル１２８をさらに含む。そのとき、ボディ１２６は、ダイアルの回転が可能なように位置する１つまたはそれ以上のスロット１２６ａを含む。
【０１０１】
図１８に関して容易に分かるように、ディスペンサ１２０は、棒の直径に近い、または棒の直径に適した直径を有する寸法で作られる。固定アプリケータ先端１２３が設けられ、ディスペンサ１２０の遠位端に設けられた開口部１２６ｂを越えて延びる。
【０１０２】
ダイアル１２８はアクチュエータ１２２に動作可能に接続される。アクチュエータ１２２は、第１のリール１３０と第２のリール１３２を含む。両リールは表面が滑らかであってもよいが、コアと、フィルムを保持するコアを越えて延びる側壁とをさらに含んでもよい。両リールは、動作可能に結合されるボディ１２６の内部に形成される軸上にあることが好ましい。そのとき、第１のリールと第２のリールは、他の実施形態に関して教示されるように、滑車とベルトとによって、あるいは、ギヤおよび／またはギヤ列を介して直接的または間接的に噛み合うギヤによって接続されてもよい。
【０１０３】
そのとき、ダイアル１２８は第１のリールに接続される。第１のリールは、それぞれの軸の固定ラチェットホイールと係合する１つまたはそれ以上の歯止めを含む。また、リール１３０には、軸に設けられた歯止めと係合するラチェットホイールが設けられてもよい。
【０１０４】
フィルムは固定長のフィルムであることが好ましい。使用中、ユーザは、ダイアル１２８を回転させ、フィルムをダイアルの回転に対して所定距離だけ前進させる。そのとき、リールと軸のラチェット相互作用によってフィルムの増分運動のみが可能になる。
【０１０５】
図２２Ａは、本発明の第１の実施形態による分与装置の最上部の透視等角図である。図２２Ｂは、本発明の第１の実施形態による分与装置の最下部の透視等角図である。図２３は図２２の分与装置の最下部の断面図で、図２４は図２２Ａおよび２２Ｂの分与装置の等角図である。
【０１０６】
分与装置２００は、フィルム２０４の少なくとも一部分を第１の位置から第２の位置に前進させるアクチュエータ２０２を含む。フィルム２０４は、化粧効果および／または１つまたはそれ以上の治療効果を適用、分与、および／または提供するためにユーザによって使用されてもよい。フィルム２０４は、アクチュエータ２０２に適した大きさのエンドレスループであってもよい。
【０１０７】
分与装置は、好ましくは、ユーザ、特に平均よりも小さい手を有する可能性のあるユーザの手で保持しやすい広い後部と狭い前部とを有する人間工学的形状を有するボディ２０６を含む。たとえば、ボディは、好都合な大きさとなるように長さがほぼ２インチであってもよい
ボディは、好ましくはボディ２０６の内部空間の大部分を占める空洞２０７を形成するように、実質的に中空であることが好ましい。開口部２０６ａは、フィルム２０４がユーザの手の届く範囲に入るようにボディの遠位端に設けられる。
【０１０８】
ガイドは、ボディの好ましくは内側に配置される。ユーザによる操作が可能なボタン２１０は、ガイドの中を移動してアクチュエータと係合する。アクチュエータ２０２は空洞２０７内にありリール２１２を含み、リール２１２は、好ましくは、コアと、コアによって間隔が開けられた壁とを有するように構成され、リールと相互作用するときにコアを越えて延びてフィルム２０４を保護し案内する。
【０１０９】
リールは、ピニオン２１４ａを有するギヤ２１４と相互作用するように配置される。ピニオンは、アームに動作可能に接続されるボタンに対応してアーム２１８のラック２１６によって係合される。ギヤ２１４は、軸（図示せず）を好ましくはボディ２０６の内側に形成することを可能にする軸孔２１４ｂを含む。
【０１１０】
ギヤ２１４は、リールの１つまたはそれ以上の歯止め２１２ａと動作可能に接続されるラチェットホイール２１４ｃをさらに含む。歯止めとラチェットホイールアセンブリ（「ラチェットアセンブリ」）は、リールの第１の回転方向への回転運動を可能にする一方で第２の回転方向への回転運動を維持する働きをする。別の実施形態において、ラチェットホイールはリールに配置され、歯止めはギヤ２１４に配置される。
【０１１１】
図２２〜２４の実施形態に戻ると、リール２１２は、ギヤ２１４のディスク２１４ｄに配置される。第１の方向の回転運動が可能になると、ギヤとリールが一緒に回転する。しかし、第２の方向のリールの回転運動がラチェットによって抑制されるとき、ディスク２１４ｄ、すなわち、ギヤ２１４はリールと独立に回転する。
【０１１２】
アクチュエータ２０２は、たとえば、ボディ２０６の内側に形成される軸上でボディに対して固定的に装着される固定支柱２２０を含む。したがって、固定支柱は、軸孔２２０ａを含む。アプリケータ先端２２２は、アーム２１８の遠位端に配置され、支柱の開口とボディの開口部２０６ａとを通って延びる。
【０１１３】
アーム２１８は、ラック２１６の実質的にすべてが配置される第１の部分２１８ａを含んでもよい。第１の部分は、リール２１２の直径に一致する長さを有するような大きさに作られてもよい。アーム２１８は、第１の部分を平面Ｙ−Ｙに中心軸を有するように配置される第２の部分２１８ｃに連結する傾斜部分２１８ｂをさらに含む。
【０１１４】
後で使用するために保管されている分与装置２００を使用するために、ユーザは、ボタン２１０をその後方の「停止」位置から遠位端までスライドさせる。これによって、アームは前進し、固定支柱の開口と開口部２０６ａとを通ってアプリケータ先端を延ばす。アームが前進されると、ラックはピニオンと係合して回転運動をラチェットホイールに伝える。好ましくは、ラチェットアセンブリは、リール２１２が回転運動に関与せずにフィルムを静止状態に保つように連係される。
【０１１５】
フィルム２０４は、アクチュエータ２０２に配置されてリール２１２と固定支柱２２２の真上を移動する。そのとき、フィルム１４は、フィルム１４の長手方向軸が作業面Ｘ−Ｘ内にあるように位置していることが好ましい。しかし、アプリケータは前進されるので、これによって、アプリケータ先端はフィルムを捕らえて開口部２０６ａを通して延ばし、ユーザの届く範囲に入れられる。この後、ユーザはフィルムを自分の体に適用することができる。
【０１１６】
ユーザは、使用を終了すると、ボタンを後方の「停止」位置にスライドさせる。アームが戻ると、ラックは再びピニオンと係合する。回転運動はラチェットホイールに伝えられる。しかし、好ましくは、上記のラチェットアセンブリによって、ここで、ラチェットホイールはリール２１２の歯止めと係合し回転運動に関与して、フィルムを前進させる。
【０１１７】
一実施形態において、ラチェットアセンブリは、ユーザがボタンを停止位置から初めて前進させるときにフィルムを前進させ、ボタンがその停止位置に戻されるときにフィルムが静止位置に留まるように調整される。
一実施形態において、フィルム２０４は、両面、すなわち、唯一の面が均一に摩耗するようなメービウスの帯である。それに加えて、フィルムは好都合なキラリティを有してもよい。
【０１１８】
図２５および２６は、本発明の一実施形態による、それぞれ非係合位置と係合位置おけるアームと固定支柱との等角図である。図１１のアクチュエータ７１は、アームと固定支柱を含んでもよい。支柱は、支柱の真上でのフィルムの滑らかおよび／または係累のない運動を容易にすることが好ましい。
【０１１９】
既に教示されたもののようなアクチュエータ（図示せず）は、ラック３０２を含んでいることも含んでいないこともあるアーム３００を含む。さらに、アームは、化粧剤および／または治療薬を含んでいる可能性のある容器３０３を含んでいることも含んでいないこともある。容器３０３は、所定量の化粧剤および／または治療薬を含む、アームの空洞であってもよい。追加的または代替的に、容器３０３は、化粧剤および／または治療薬を含浸されてもよい材料を備えてもよい。
【０１２０】
アプリケータ先端３０７は、アームの遠位端に配置される。固定支柱３０６は、装置のボディに配置され、アームに対して固定されている。フィルム３０４は、固定支柱の真上を移動するように配置され、支柱を通って延びる開口３０６ａの遠位端を覆う。
【０１２１】
アクチュエータが前進されると、アプリケータ先端は、開口を通って移動し、フィルムを変位させてユーザの体への適用に好都合な位置にフィルムを持ってくる。
容器は、ウィッキング作用または毛管作用によって化粧剤および／または治療薬を伝えることができる。好ましくは、フィルム３０４は、化粧剤および／または治療薬がフィルムの所定位置にのみ適用されるように両面または片面に非ウィッキング材料が被覆されおよび／または非ウィッキング材料で作られた領域を含む。
【０１２２】
図２７〜３１は、本発明の１つまたはそれ以上の実施形態による、ディスペンサおよび／または分与装置の１つまたはそれ以上の前述の実施形態と連係して使用されてもよいフィルムの等角図である。
【０１２３】
本発明の機能性フィルムは、（ａ）たとえば、以下に教示されるフィルム４００、４１０ａ、および４１０ｂに関係する実施形態に関するようなフィルムで提供される分与剤、または（ｂ）たとえば、以下に教示されるフィルム４２０、４３０、４４０ａ、および４４０ｂに関係する実施形態に関するようなトランスファフィルムの形態の分与剤を適用するためにユーザによって使用されてもよい。
【０１２４】
図２７は、本発明の一実施形態によるフロックフィルムの等角図である。フィルム４００は、０．１２５〜０．５００インチの幅と、１２インチの長さを有していてもよく、アイメイク落としワックスを備えていてもよく、マスカラ落としとして適していてもよい。
【０１２５】
フィルム４００は、不織布製であっても重合体材料製であってもよい。たとえば、不織布はスパンボンド布、超音波ボンド布、ニードルパンチ布、ポイントボンド布、および熱ボンド布として形成されてもよく、ポリレイヨン、ポリエステル、および／またはポリプロピレンを備えてもよい。
【０１２６】
有利には、不織布製のフィルムは、空隙率、弾性率、および／または表面組織、すなわち、布の手触りを変えることによって所望の物理的性質を備えるように構成されてもよい。
【０１２７】
たとえば、布は、ビニル基材に表面層４０２が積層されたときに有利に役立つ可能性のある平滑フィルムからフロックフィルムまでに及ぶ組織を有するように１つまたはそれ以上の種類の仕上げを有するように構成されてもよい。
【０１２８】
フィルム４００は、一般的な重合体材料を備えてもよく、および／または、したがって、ポリエステル、ポリエチレン、エチレンメチルアクリレート、ポリ塩化ビニル、塩化三フッ化エチレン、酢酸ビニル、ポリウレタン、ナイロン、ポリスチレン、および、エチレンビニルアルコール、セルロース、および／またはニトロセルロースの群から選択されてもよい。
有利には、フィルム４００は、化粧剤および／または治療薬の有効組成物に対する接着を促進または阻止するために表面修飾されうる一般的な重合体の分類から選択される。
【０１２９】
本発明の１つまたはそれ以上の実施形態によると、分与剤、すなわち、化粧剤または治療薬組成物は、フィルムが不織布または当技術分野において公知の印刷技術や分与剤の印刷にしか適さない印刷技術を用いた重合体のいずれで作られているかに関係なくフィルム４００に印刷されてもよい。たとえば、単色効果または多色効果を得るために、リソグラフィ技術を含む、スクリーン印刷、インクジェット印刷、およびエーロゾル印刷（ドライおよびウェット）、熱印刷（ワックス）が採用されてもよい。
【０１３０】
好ましくは、分与剤は、印刷工程を適切に稼動しうる流体（印刷、インクジェット印刷、およびエーロゾル印刷（ウェット））、ペースト（リソグラフ印刷）、またはワックス（熱印刷）など、媒体に組み入れるのに適した固体、半固体、および／または微粉を備える。
【０１３１】
ディスペンサおよび／または分与装置の１つまたはそれ以上の前述の実施形態との連係において、目への適用はフィルム４００を備える。本発明の一実施形態によると、目への適用は単一の組成物を備える。
そのとき、最上面４０２は、前述のように印刷技術によって不織基材に付着されるパウダーベースのアイシャドウ組成物を備える分与剤を含む。適正な組成が表１に提供される。
【０１３２】
【表１】
2010502390.tif 000003
【０１３３】
本発明の一実施形態によると、目への適用は、各々が異なるパウダーベースのアイシャドウ組成物を備える２つまたはそれ以上の分与剤を備える。たとえば、アイシャドウ効果とアイライナー効果は、パウダーベースのアイシャドウ組成物を提供する１つの分与剤と、アイライナー組成物を提供するもう１つ分与剤との複数の分与剤を使用することによって作り出されてもよい。
【０１３４】
そのとき、最上面４０２は複数の分与剤を含み、各々の分与剤は、前述のように印刷技術によって不織基材に付着されるもう１つの分与剤とは異なるパウダーベースのアイシャドウ組成物を備える。所望の効果を出すために、アイライナーの効果を出す１つの分与剤が細い線で付着される一方で、アイライナーに似た効果を出すためにもう１つの分与剤が表面のより広い領域に付着される。半固体アイライナー組成物の適切な組成が表２に提供され、パウダーベースのアイシャドウ組成物が表１に提供される。
【０１３５】
【表２】
2010502390.tif 000004
【０１３６】
ディスペンサおよび／または分与装置の１つまたはそれ以上の前述の実施形態との連係において、ファンデーションとしての使用に適した顔への適用はフィルム４００を備える。本発明の一実施形態によると、顔への適用は１つまたはそれ以上の組成物を有する分与剤を備える。
【０１３７】
そのとき、最上面４０２は、前述のような印刷技術によって不織基材に付着されるパウダーベースの組成物を備える分与剤を含む。適正な組成が表３に提供される。
パウダー組成物は、顔面の次元性を高めて容姿を改善する１つまたはそれ以上の特殊効果顔料および／またはパール感のある顔料を備えてもよい。有利には、顔面の特定部位に対しては特殊パール含量のフィルムを適用することに的を絞って組成物を組み入れることが可能である。
【０１３８】
【表３】
2010502390.tif 000005
【０１３９】
ディスペンサおよび／または分与装置の１つまたはそれ以上の前述の実施形態との連係において、コンシーラとしての使用に適した顔面への適用はフィルム４００を備える。本発明の一実施形態によると、顔面への適用は分与剤を備え１つまたはそれ以上のワックスベースの組成物を有する。
【０１４０】
そのとき、最上面４０２は、好ましくは高い顔料負荷を備える１つまたはそれ以上のワックスベースの組成物を備える分与剤を含む。顔料は、ワックスベースとの併用によって、局部の明暗の変化、シミ、および微小な表面の欠点を広い範囲にわたってカバーする。
【０１４１】
好ましくは、フィルム４００は、重合体ベース層または不織布ベース層を備える。不織フィルムは低い空隙率を備えることが好ましい。組成物は、前述のような手法によって溶かされてフィルム４００の表面に液体状態で付着される。適正な組成が表４に提供される。
【０１４２】
【表４】
2010502390.tif 000006
【０１４３】
図２８Ａおよび２８Ｂは、本発明の別の実施形態によるフィルムの等角図である。フィルム４１０ａおよび４１０ｂは２つの材料の積層板として作られることが好ましく、２つの材料は各々がフィルムであってもよい。積層板はフィルム４１０ａおよび４１０ｂが１つまたはそれ以上の小袋（ｓａｃｈｅｔｓ）４１２および４１４を含むように配置され、各小袋は分与剤Ｅ、Ｆ用の空間またはチャンバーを備えており、分与剤Ｅ、Ｆは１液組成であっても２液組成であってもよい。組成物は１つまたはそれ以上の反応物質であってもよく、たとえば、反応物質Ｅは小袋４１２に配置され、反応物質Ｆは小袋４１４に配置される。同様に、ＥとＦは液組成物であってもよい。
【０１４４】
小袋は、フィルムの長さ方向を横断させるか、または長さ方向に沿わせるなどして適切な方向で配置されてもよい。反応物質は、小袋からユーザの体に流れやすいように液状または液晶状の組成物であることが好ましい。
【０１４５】
フィルム４１０ａおよび４１０ｂは、製薬産業用に設計された包装装置を使用して作られて充填されてもよい。たとえば、ブリスタ包装および錠剤包装装置、連続ウェブ処理装置、および／またはシリンジおよび注入技術が適切かもしれない。同様に、小袋の充填には、分与剤としての液体をマイクロカプセル化する手段が使用されてもよい。
【０１４６】
ディスペンサおよび／または分与装置の１つまたはそれ以上の前述の実施形態との連係において、小袋が装置によって破裂したり突き刺されたり、あるいは、小袋がディスペンサの前述の実施形態の先端で係合されるときのように適用に当たりユーザの体にかかる圧力によって破裂したりすると、各小袋はそれぞれの反応物質を放出して適用部位で混合される。反応物質は、ユーザに対して有益な作用を有する反応混合物をもたらすように選択されることが好ましい。そのとき、反応混合物、すなわち、分与剤は、自己発熱、重合、ｐＨに敏感な交互活性化（ａｌｔｅｒｎａｔｉｎｇ  ａｃｔｉｖｅｓ）、接着、および／またはベースコート／トップコートなどをもたらしてもよい。
【０１４７】
ディスペンサおよび／または分与装置の１つまたはそれ以上の前述の実施形態との連係において、フィルム４１０ａおよび４１０ｂは、口唇、目、顔、および／または爪への適用に使用されてもよい。口唇への適用は、フィルム４１０ａまたは４１０ｂを備える。そのとき、小袋４１２および／または４１４には、好ましくは高光沢の外観を提供する１つまたはそれ以上の液状の口唇用組成物を入れることができる。
【０１４８】
本発明の一実施形態によると、液状の口唇用組成物は単一の組成物を備える。したがって、分与剤ＥおよびＦは、実質的に同じものであり、互いに反応しないかもしれない。適正な組成が表５に提供される。
【０１４９】
【表５】
2010502390.tif 000007
【０１５０】
当技術分野において公知のように、液状リップグロス処方は、光沢のある仕上がりを実現するために口唇に付着される厚い膜を頼りにするもので、重厚感と色移りをもたらす。有利には、本発明の組成物は、非常に薄いフィルムで高光沢の外観を提供して、優れた外観と軽快感とを提供する。
【０１５１】
本発明の一実施形態によると、液状の口唇用組成物は二組成を備える。第１の分与剤Ｅは、実質的に表６の組成を有する液体ベースのコート組成物の形態の第１の組成として備えられてもよい。ベースコートは、持続性のある色とポリウレタン誘導体による口唇への選択的接着とを提供することが好ましい。
【０１５２】
第２の分与剤Ｆは、実質的に表７の組成を有する液状トップコートの形態の第２の組成として備えられてもよい。トップコートは、無色のトランスファトップコートを有することが好ましい。これによって単一ステップの適用が可能になるが、従来の１回の処方ではベースコートとトップコートは相性が悪い（分離しやすい）ことから、種々の生成物を２回適用する必要がある。
【０１５３】
上述のように、ディスペンサおよび／または分与装置の１つまたはそれ以上の前述の実施形態との連係において、本発明によるフィルム４１０ａおよび４１０ｂは、適用時に反応する相性の悪い含有物を供給することになる。たとえば、第１の組成物は、第２の組成物の放出時に、第２の組成物における活性化因子によって架橋される１つまたはそれ以上の低分子量重合体を備える。
【０１５４】
当技術分野において公知のように、高分子量重合体は、溶解させて皮膚に供給することが困難であり、高い溶剤含量と長い乾燥時間を必要とする。有利には、本発明は、比較的低い溶剤柔軟性と比較的大きい処方柔軟性とを有する反応混合物を可能にして新たなレベルの性能（化粧持ち）と実績を達成する。
【０１５５】
表６および７の例示的な組成物は、第１の組成においてアニオン性アクリル重合体、シリコン／アクリレート共重合体、およびカーボマーを備え、第２の組成においてポリアミド、カチオン性アクリル重合体（ジメチルアミノエチルアクリレート重合体）を備える組成物を含む。これらは、分子量の大きい組成物を提供するように反応することになり、したがって、粘度が増してより優れたフィルムが形成される結果、化粧持ちが改善されされることになる。
【０１５６】
【表６】
2010502390.tif 000008
【０１５７】
【表７】
2010502390.tif 000009
【０１５８】
ディスペンサおよび／または分与装置の１つまたはそれ以上の前述の実施形態との連係において、リキッドファンデーションへの適用は、フィルム４１０ａまたは４１０ｂを備える。そのとき、小袋４１２および／または４１４には、好ましくは公知の化粧持ちの問題を有する顔面領域に適用を絞ることができる１つまたはそれ以上のリキッドファンデーション組成物を入れることができる。
【０１５９】
当技術分野において公知のように、高濃度を有するリキッドファンデーション組成物は、ファンデーションが長持ちすることに不快感を与える。しかし、重合体含量が低くなると、化粧持ちが悪くなる。
【０１６０】
フィルム４１０ａまたは４１０ｂにアクリレート共重合体を有する、表８のものようなリキッドファンデーションを提供することによって、ユーザの皮膚の表面に強力なフィルムが形成される。したがって、重合体含量は、問題のある顔面領域に優れた化粧持ちを提供するように増加される。
【０１６１】
【表８】
2010502390.tif 000010
【０１６２】
図２９は、本発明の別の実施形態によるフィルムの等角図である。フィルム４２０は簡単な積層フィルムとして同時に作用するキャリアフィルム４２２とトランスファフィルム４２４とを備える。キャリアフィルム４２２は、ポリエステルを備えることが好ましい。
【０１６３】
有利には、トランスファフィルムは、当技術分野において公知の同様のフィルムの真上で厚さが低減される。Ｂｉｏｄｅｒｍｉｓ社、Ｓｉｌ−Ｋ社、Ｒｅｊｅｖｎｅｓｓ社などのメーカは、広範な形状のフィルムをシリコンベースのフィルムで提供している。これらは、優れた皮膚への接着性と医薬特性とを有する一方で、差し迫った化粧品の効果を実現するためには利用されていない。
【０１６４】
有利には、トランスファフィルム４２４は、分与剤が以下でさらに説明されるものようなキャリアフィルムに層を成しおよび／または機能化表面として付着されるときに形成される０．０５ｍｍ〜０．５ｍｍの薄い厚さを有するシリコンまたは重合体エラストマーを備えてもよい。対照的に、公知のフィルムは、０．５ｍｍ〜２ｍｍの厚さを有しており、シートまたはストリップで提供される。このような薄い厚さは、分与剤が従来の重合体ベースを備える場合に取り扱いと表面への移動とが難しい。
【０１６５】
しかし、本発明のトランスファフィルムは、以下でさらに説明されるように、新たな美的価値と性能を実現するシリコンまたは重合体エラストマーフィルムベースの分与剤を備えることが好ましい。シリコンエラストマーは、火傷や外科手術の結果としての肥厚性瘢痕とケロイド瘢痕を扱うために医療産業において一般に知られる材料を備えていてもよく、したがって、フィルム４２４は医療グレードのシリコン重合体で作られることが好ましい。製造中、皮膚に水和と薬効をもたらすためにシリコンの物理化学的特性は具体的な適用に合わせて調整され、フィルム４２４は妥協して処理されたシリコン（ａ  ｃｏｍｐｒｉｓｅ  ｓｉｌｉｃｏｎｅ）を実現するように最適化されることが好ましく、ここでは、機械的特性が重合体の架橋結合を増加または減少させ、かつ本来の皮膚を再現するために具体的な重合体の化学的性質を利用することによって最適化される。
【０１６６】
シリコンエラストマーの代替として、トランスファフィルム４２４は、好ましくは、ポリエステル、ポリエチレン、エチレンメチルアクリレート、ポリ塩化ビニル、塩化三フッ化エチレン、酢酸ビニル、ポリウレタン、ナイロン、ポリスチレン、エチレンビニルアルコール、セルロース、およびニトロセルロースの群から選択される一般的な重合体を備えてもよい。フィルムは、皮膚表面への接着を促進または阻止するために表面修飾されてもよい。
【０１６７】
そのとき、トランスファフィルムは、着色剤、光学的なぼやけ、および／または他の種類の化粧剤効果および／または治療薬効果を備えてもよい。したがって、１つまたはそれ以上の実施形態において、重合体フィルム層は、第２の重合体フィルム層から少なくとも０．００５の屈折率を有するように構成される。これらの層は、製造中に積層されて、１つまたはそれ以上の独特の散乱効果を提供する角屈折（ａｎｇｕｌａｒ  ｒｅｆｒａｃｔｉｏｎｓ）、フレネルレンズ効果、および／または表面パターン形成効果などの独特の光学的効果を提供する。
【０１６８】
有利には、所望の弾性および引張強度を実現するために、広範の機械的特性を有する重合体ベースのトランスファフィルムが製造されてもよい。
さらに、トランスファフィルム４２４を形成するために、部分的にジェル化された半乾性の重合体溶媒システムが使用されてもよい。
【０１６９】
ディスペンサおよび／または分与装置の１つまたはそれ以上の前述の実施形態との連係において、ユーザがフィルム４２０を適用するとき、トランスファフィルムはユーザの体に適用され、その間、キャリアフィルムはディスペンサまたは分与装置に保持される。
【０１７０】
図３０は、本発明の別の実施形態によるフィルムの等角図である。フィルム４３０は、キャリアフィルム４３２とトランスファフィルム４３４を備える。トランスファフィルム４３４は皮膚接着層４３６と表面層４３８をさらに備え、これらの各々は同時に製造されて個別に形成されるフィルム（ａ  ｓｅｐａｒａｔｅｌｙ  ｐｒｏｄｕｃｅｄ  ｆｉｌｍ  ｍａｎｕｆａｃｔｕｒｅｄ  ｔｏｇｅｔｈｅｒ）であってもよい。そのとき、フィルム４３０は、フィルム４２０などの簡単な積層フィルムとは対照的に、多層積層フィルムとして構成されることが好ましい。
【０１７１】
トランスファフィルム４３４の表面層４３８は、トランスファフィルム４２４と実質的に同じであってもよい。皮膚接着層４３６は、シリコンまたは重合体エラストマーフィルム、あるいはその他の適切なフィルムなど、薄フィルムを備えてもよい。フィルムは、好ましくは、デキストリン誘導体、シリコン、アクリル酸塩、および／または皮膚接着を促進するために生物医学的応用用に設計された合成ゴム接着剤に基づく生体適合性のある接着剤で処理されることが好ましい。たとえば、Ｄｏｗ  Ｃｏｒｉｎｇ社製  Ｂｉｏ  ＰＳＡシリコン感圧接着剤、シリコン接着剤、ＭＤ７−４５０２およびＭＡ７−４６０２、アクリルおよび合成ゴム接着剤ＭＧ−０５６０およびＭＧ０１５３／ＰＡが使用されてもよい。
【０１７２】
ディスペンサおよび／または分与装置の１つまたはそれ以上の前述の実施形態との連係において、ユーザがフィルム４３０を適用するときにトランスファフィルムはユーザの体に適用されるが、キャリアフィルムはディスペンサまたは分与装置に保持される。トランスファフィルムは複数の層を備えるので、トランスファフィルムは独特の光学特性（干渉フィルムを使用して）または選択的接着などの特別な物理化学的特性を提供してもよい。したがって、ディスペンサおよび／または分与装置の１つまたはそれ以上の前述の実施形態は、以下に詳述される化合物を含む。
【０１７３】
フィルム４２０および／またはフィルム４３０は、口唇化粧品および顔面化粧品に適切に使用されてもよい。ディスペンサおよび／または分与装置の１つまたはそれ以上の前述の実施形態との連係において、口唇化粧品は、０．０５ｍｍ〜０．５ｍｍの厚さを有するトランスファフィルム４３４を含むフィルム４３０を備える。
【０１７４】
トランスファフィルムは接着層４３６を備え、接着層４３６は口唇組織に対して同様の弾性率を有する１枚または複数枚のシリコンエラストマーの薄フィルムで作られることが好ましい。キャリアフィルムの最も近くにある接着層の側面には感圧接着剤が加えられる。エラストマーと口唇表面が十分に接着することによって、適用装置が口唇の輪郭に沿って移動されるときに移動可能なフィルムが付着されうる。したがって、適用後にトランスファフィルムをさらに容易に分離しうるようにエラストマーフィルムは十分な引張強度を有するように製造されることが好ましい。
【０１７５】
トランスファフィルムの表面層４３８は、ユーザの口唇に適用されたときに視覚訴求を与える適切な光沢と明るさを有する材料を備えることが好ましい。
ディスペンサおよび／または分与装置の１つまたはそれ以上の前述の実施形態との連係において、顔面化粧は、０．０１ｍｍ〜０．５ｍｍの厚さを有するトランスファフィルム４３４を含むフィルム４３０を含む。好ましくは、フィルム４３０は、光学的に不鮮明であり、ユーザの顔面領域における局所的な欠点を補う。トランスファフィルムは接着層４３６を備えており、接着層４３６は皮膚組織に対して同様の弾性率を有するシリコンエラストマーの１枚または複数枚の薄フィルムで作られることが好ましい。キャリアフィルムの近くにある接着層の側面には感圧接着剤が追加される。
【０１７６】
表面層４３８は、拡散透過率および／または反射率などの１つまたはそれ以上の光学特性を備えることが好ましい。たとえば、光学特性は、ナイロン、窒化ホウ素および／またはアルミナのナノ粒子、および／またはエラストマー材料の固有特性を備えてもよい。エラストマーと顔面皮膚表面の間を十分に接着することによって、適用装置が顔面の輪郭に沿って移動されるときに移動可能なフィルム付着されうる。したがって、適用後にトランスファフィルムをさらに容易に分離しうるようにエラストマーフィルムは十分な引張強度を有するように製造されることが好ましい。
【０１７７】
図３１Ａおよび３１Ｂは、本発明の別の実施形態によるフィルムの等角図である。フィルム４４０ａおよび４４０ｂは、それぞれ、化粧剤および／または治療薬を提供する複数のセグメント４４２ａ、４４２ｂを備える。セグメントの各々は、キャリアフィルム４４４に関連する。ディスペンおよび／または分与装置の１つまたはそれ以上の前述の実施形態との連係において、ユーザがフィルム４４０を適用すると、複数のセグメントの１つまたはそれ以上がユーザの体に適用され、その間、キャリアフィルムはディスペンサまたは分与装置に保持される。
【０１７８】
フィルム４４０ａは、フィルムの軸に対して配置される複数の微細セグメント化された領域４４２ａを備える。たとえば、セグメント４４２ａは、長手方向軸を横断させて配置されてもよい。フィルム４４０ｂは、間に入れられて、すなわち、別のセグメントの隣に配置されて、化粧剤および／または治療薬の接触面を有する領域を形成する複数の微細セグメント４４２ｂを備える。有利には、セグメント４４２ｂは、接触面を維持するために優れた能力を有する軟質トランスファフィルムを提供する働きをする。
【０１７９】
セグメント４４２ａ、４４２ｂは、口唇、爪などへの適用のような特定の目的に合わせて機能化されてもよい。当技術分野において公知のように、液組成物は、ブラシ型の用具を用いて爪に塗られる。ディスペンサおよび／または分与装置の１つまたはそれ以上の前述の実施形態との連係において、爪への適用はフィルム４４０ａまたは４４０ｂを備え、フィルム４４０ａまたは４４０ｂは連続的なポリエステルフィルムであることが好ましい。半乾燥されたネイル液が層４４２ａ、すなわち、４４２ｂに取り入れられる。ネイル液に対する適正な組成が表９に提供される。
【０１８０】
代替的に、ネイル液はフィルムの２つの重合体層の間に配置される。１つの層はベース層を備え、第２の層は保護層を備える。ネイル液を適用するために、保護フィルムは剥がされて爪表面に接するとネイル液フィルムを露出させる。半乾燥された液フィルムは、適用中に爪に付着する。ディスペンサを爪表面に沿って引きずると、液フィルムは爪表面に付着され乾いて手触りの薄いフィルムとなる。さらに、フィルムは、フレンチチップピクチャおよびその他のデザインなど、様々なグラフィックスまたは多色デザインを用いて印刷されうる。ネイル液に適した組成が表９に提供される。
【０１８１】
【表９】
2010502390.tif 000011
【０１８２】
図３２Ａ〜３２Ｅは、本発明の１つまたはそれ以上の実施形態による、１つまたはそれ以上の不連続なトランスファ要素４５４を備えるフィルム４５０の等角図である。
フィルム４５０は、既に教示されたフィルムのいずれであってもよい。本発明の１つまたはそれ以上の実施形態によると、フィルム４５０はフィルム４２０と実質的に類似している。そのとき、フィルム４５０は、キャリアフィルム４５６と、ディスペンサおよび／または分与装置の１つまたはそれ以上の前述の実施形態と連係して分与剤をトランスファ要素に供給する１つまたはそれ以上の不連続なトランスファ要素４５４とを備える。
【０１８３】
本発明の一実施形態によると、複数の不連続なトランスファ要素は、既に教示された口唇用組成物を備える分与剤でユーザの口唇に色を付けるのに適した連続セグメントを備える。そのとき、第１のトランスファ要素は、これを下口唇に適するように構成される第２の直接隣接したトランスファ要素よりも大きくすることによって上口唇に適するように構成される。後続のトランスファ要素は同様のペアで提供される。
【０１８４】
本発明の一実施形態によると、複数の不連続なトランスファ要素がユーザの目尻に色を置くのに適した連続セグメントを備える。第１のトランスファ要素は、適切に形成されることによって、たとえば、上目尻に適するように構成される。第２のトランスファ要素に直接隣接した第２の移動は、たとえば、下目尻に適するように構成される。第２のトランスファ要素に直接隣接した第３の移動は、たとえば、眼瞼に適するように構成される。後続のトランスファ要素は、ユーザによって次の一連の適用に提供される。
【０１８５】
好ましくは、各移動領域は、トータルルックを完成するために、本明細書において既に教示されたような、異なるものの補完的なアイシャドウ組成物を有する分与剤を備える。
【０１８６】
各トランスファ要素は、第１のトランスファ要素から顧客に当該部分への適切な適用に満足感を覚えさせ、さらに、ホイールまたはスプールを回転させて別のセグメントに進み、第２の体部位への適用を続けることによって適用されてもよい。
【０１８７】
本発明の１つまたはそれ以上の実施形態によると、フィルム４５０はフィルム４３０と実質的に類似している。ディスペンサおよび／または分与装置の１つまたはそれ以上の前述の実施形態に連係するフィルム４５０は、分与剤をトランスファ要素に供給する。
【０１８８】
そのとき、フィルム４５０は、キャリアフィルム４５６と１つまたはそれ以上の不連続なトランスファ要素４５４とを備え、トランスファ要素４５４は、層４３６に実質的に類似した皮膚接着層に連結され、図面におけるトランスファ要素４５４と同様の同じ大きさに作られることが好ましい。
【０１８９】
それに加えて、トランスファ要素４５４は、南アジアと東南アジアに特有のビンディー（図３２Ｃ）の形状とデザインを有するように構成されてもよい。ユーザがトランスファ要素を適用するときに、皮膚接着層はユーザの前額部にビンディーを保持するのに役立つ。
【０１９０】
トランスファ要素４５４の他の例示的な形状として、リップブラシ（図３２Ｂ）とチークブラシ（図３２Ｄ）が挙げられる。
特に好ましい一実施形態において、トランスファ要素４５４は、フィルム内に設けられている多くの陰影部を含むアイシャドウとして構成される。それに加えて、本発明の譲受人は、２００７年８月１日に、スクリーン印刷アイシャドウのアプリケータおよび方法を開示した「ＣＯＳＭＥＴＩＣ  ＡＰＰＬＩＣＡＴＯＲ」と題する特許文献５を出願しており、これは全体が参照として本明細書に組み入れられる。
【０１９１】
同様に、ここで、図３２Ｅに関して、トランスファ要素４５４ａは、基材４５０ａの前方表面に実質的に薄層で配置される複数の化粧品を備える。トランスファ要素は、一般に４５８ａ〜４５８ｅとして示される１つまたはそれ以上の適用領域のパターンを備える。適用領域は、互いにすき間なく隣接して協調効果、すなわち、機能強化を備えることが好ましい。化粧品の薄層は、以下で開示されるように、ウェットおよびドライバインダーの存在に照らして基材に密着して維持されるものと考えられる。
【０１９２】
各適用領域は、人体に適用され、さらに総じて洗練された外観を提供すると見なされるときに着色や陰影などの化粧品の効果を有している可能性がある。
アイシャドウの化粧品アプリケータに関する陰影は、事前に決定されることが好ましく、ユーザが使いやすいように適切に調整される。同様に、各適用領域の大きさは、好感を与え、あるいは、協調効果を提供し、さらにユーザが使いやすいようにするために事前に決定されることが好ましい。
【０１９３】
各適用領域における化粧品の量は、適正な単位用量を供給するように注意深く測定される。各ユーザの皮膚は多様であるので、各顧客に関する単位用量は異なる。したがって、化粧品は、季節的変化、対象ユーザの皮膚特性の違い、その他の適切な要因に合うように変更されてもよい。
【０１９４】
トランスファ要素４５４ａは、目尻のしわに適した領域  ４５８ａなどの１つの適用領域を有し、変化する陰影の１つまたはそれ以上のその他の領域、すなわち、眼瞼上でまつげ線まで伸びる領域４５８ｂ〜４５８ｅを有するように構成されてもよい。したがって、３〜５色の陰影、すなわち、適用領域４５８ａ〜４５８ｅが存在してもよい。これらのうち、１つまたはそれ以上、たとえば、適用領域４５８ａ、４５８ｃ、および４５８ｅの陰影は明瞭な陰影であり、１つまたはそれ以上は混合陰影、すなわち、適用領域４５８ｂ（明瞭な陰影  ４５８ａと４５８ｃの混合）と適用領域４５８ｄ（明瞭な陰影４５８ｃと４５８ｅの混合）の陰影である。
【０１９５】
使用中、必要であれば、ユーザは、既に教示されたディスペンサの１つを用いてフィルム４５０ａを位置決めする。納得のいく位置で、ユーザは、基材の後方表面に対して１桁または複数桁（ｏｎｅ  ｏｒ  ｍｏｒｅ  ｄｉｇｉｔｓ）の圧力を加える。トランスファ要素に備えられた化粧品はユーザの体に移動される。
【０１９６】
眼瞼と額の表面でユーザが指を転がして軽い圧力を直接加えてもよく、ディスペンサを用いてフィルムの最上部を軽く揉むか、または擦って軽い圧力を加えてもよい。好ましくは、移動しうる化粧品の少なくとも一部は、本明細書においてさらに教示されるように、改善された化粧持ち性を有するように処方されている。
【０１９７】
フィルム４５０ａは、本明細書で説明されおよび／または特許文献６で開示されているように、フラットスクリーン印刷法、すなわち、セリグラフィック印刷を用いて製造されてもよく、特許文献６は全体が全ての目的のために参照として本明細書に組み入れられる。しかし、フィルム４５０ａまたはその他のフィルム４５０は、他の適切な工程に従って製造されてもよい。
【０１９８】
さらに具体的には、スクリーン印刷ユニットは、化粧品を適用してトランスファ要素の第１の適用領域４５８ａを基材に形成してその後の製造段階に備える。
スクリーン印刷ユニットは、当技術分野において公知のように、備えられたスクリーンを有するプリンタを含む。スクリーンは、適用領域４５８ａの形状と大きさに対応する表面に１つまたはそれ以上のスクリーン開口を有する不透過性表面を備える。適用領域の正確な位置決めと印刷に役立てるために、スクリーンと基材には複数の目安が設けられてもよい。
【０１９９】
容器がスクリーンに適切な量のスラリーを提供し、適切な一部分がスクリーン開口を経て基材に出て適用領域４５８ａを作り出す。
適用領域４５８ａが付着された後、過剰なスラリーが除去される。スクリーンが取り除かれて基材がドライヤまでの距離を移動する。この距離は、適用領域４５８ａに対する組成物からの溶剤の一部または全部が蒸発しうるように事前に決定されることが好ましく、組成物の差に関しては調整されてもよい。代わりに、この距離は、乾燥棚として、フィルム基材４５０ａのロールストックまたはシートストックが溶媒の蒸発に相応しい所定時間留まるように設定されてもよい。適用領域４５８ｂ〜４５８ｅを印刷するために、別のスクリーン印刷ユニットが提供される。
【０２００】
本明細書において使用される化粧品組成物は、基材よりも皮膚に対してより大きな親和力を有するように処方されることが好ましい。組成物がプレートレット結晶構造を有するマイカなどの充填物を含むとき、目尻周囲の基材からの化粧品の移動は改善されることが判明している。また、目の周囲の皮膚は比較的高濃度の天然油を有するので移動は目尻の周囲で促進されるものと考えられえる。
【０２０１】
さらに、ディスペンサおよび／または分与装置フィルムの１つまたはそれ以上の前述の実施形態で使用するフィルムの迅速な組込みとカスタム化とを提供することが検討される。このようなカスタム化は、満足のいくデザインや独自のデザインを考案するためにユーザによって直接行なわれてもよく、このような医薬品はより目立たずおよび／またはより便利な装置における医療必需品として供給すべきであるとの医学的要求に基づいて行なわれてもよい。
【０２０２】
たとえば、ユーザは、パーソナルコンピュータなどのパーソナルコンピューティング機器を利用して、無線通信機器がインターネットなどの１つまたはそれ以上のネットワーク上でサーバと通信するようにしてもよい。ユーザは、認証プロセスを経てもよく、あるいは、化粧品に関する情報を含む、あるいは分与剤に関する情報を含む、関心のある複数の情報にアクセスするだけでもよい。それに加えて、ユーザは、利用する情報を選択しおよび／または情報を処理することを決めてもよい。
【０２０３】
この情報は、分与剤に関する新しく新規のデザインを含んでもよい。たとえば、ユーザは口唇色の特定のデザインに興味を持ってもよい。同様に、ユーザは、フィルムとして適用される可能性のあるネイルカラーなどの独自のデザインを考案することを望んでもよい。
【０２０４】
この後、ユーザは、この口唇色を選択し、これを直接購入および／または認定販売員からの納入によって入手してもよい。そのとき、既に教示されたような多量のフィルムが無料または有料で販売員からユーザに提供される可能性がある。フィルムは、ディスペンサおよび／または分与装置の１つまたはそれ以上の前述の実施形態において迅速に組み込まれるように包装された状態で販売されていることが好ましい。
【産業上の利用可能性】
【０２０５】
本発明は具体的な実施形態に関連して説明されてきたが、当然のことながら、前述の説明に照らして多くの代替形態、修正形態、および変更形態が当業者には明らかとなる。したがって、ディスペンサおよび／または分与装置の前述の実施形態は、現在開示されている本発明によるフィルムの実施形態のみならず、当技術分野において公知の他の適切なフィルムにも使用されうることは理解される。
【符号の説明】
【０２０６】
１０、４０、６０、８０、１００、１００ｂ、１０２ａ、１２０・・・ディスペンサ
６０、２００・・・分与装置
１１、４１、６１、８１、１０１、１２１・・・棒
１２、４２、６２、７１、８２、１０２、１０２ａ、１０２ｂ、１２２、２０２・・・アクチュエータ
１４、４４、６４、８４、１０４、１０４ａ、１０４ｂ、２０４、３０４、４００、４１０ａ、４１０ｂ、４２０、４３０、４４０、４４０ａ、４４０ｂ、４５０・・・フィルム
１６、１６ａ、４６、６６、８６、１０６、１２６、２０６・・・ボディ
１６ａ、４６ａ、８６ａ、１０６ａ、１０６ｂ、１２６ｂ、２０６ａ・・・開口部
１７、４７、６７、８７、１０７、１２７、２０７・・・空洞
１８、６８・・・カバー
１８ａ・・・停止部材
２０、７０・・・フィンガーグリップ
３４、３４ｄ、５４、６６ｂ、７８、７８、９４、２１８、３００・・・アーム
２０ａ、７０ａ・・・第１のフィンガーグリップ
２０ｂ、７０ｂ・・・第２のフィンガーグリップ
３０、５０、１１０ｂ、１３０・・・第１のリール（コア）
３０ａ、７５ｂ、９０ｂ、２１４ｂ、２２０ａ・・・軸孔
３０ｂ・・・凹型コア
３０ｅ・・・滑車
３２、５２、１１２、１３２・・・第２のリール（コア）
３２ａ、７２ａ・・・コア
３０ｃ、３０ｄ、３２ｂ、３２ｃ、７２ｂ、７２ｃ・・・壁
３２ｆ、７２ｄ、２１２ａ・・・歯止め
３３・・・エンドレスベルト
３４ａ、２１８ａ・・・第１の部分
３４ｂ、２１８ｂ・・・傾斜部分（アーム）
３４ｃ・・・第２の部分（アーム部分）
３５、５５、７５、９０、２１４・・・ギヤ
３５ａ、５５ａ、７５ａ、９０ａ、２１４ａ・・・ピニオン
３５ｂ、７５ｄ、２１４ｃ・・・ラチェットホイール
３５ｃ、７５ｃ、９０ｃ、２１４ｄ・・・ディスク（ホイール）
３６、５６、６６ｃ、７６、９２、２１６、３０２・・・ラック
３７、３７ａ、５３、６６ａ、６６ｂ、７７、９１、１０３、１０３ａ、１０３ｂ、１２３、２２２、３０７・・・アプリケータ先端
４８・・・ガイド
７２、８８、１１０ａ、２１２・・・リール
５１、２１０・・・ボタン
７９、２２０、２２２、３０６・・・固定支柱
１０６ａ、１２６ａ・・・スロット
１０８、１０８ａ、１０８ｂ、１２８・・・ダイアル
１１１・・・ベルト
１２１ａ・・・陥凹部
３０３・・・容器
３０６ａ・・・開口
４０２、４３８・・・表面層
４１２、４１４・・・小袋
４２２、４３２、４４４、４５６・・・キャリアフィルム
４２４、４３４・・・トランスファフィルム
４３６・・・皮膚接着層
４４２ａ、４４２ｂ・・・セグメント
４５０ａ・・・基材（フィルム）
４５４、４５４ａ・・・トランスファ要素
４５８ａ〜４５８ｅ・・・適用領域
Ａ、Ｂ、Ｃ、Ｄ・・・移動方向
Ｅ、Ｆ・・・分与剤（反応物質）
Ｘ−Ｘ・・・作業面
【図１】
2010502390.tif 000012
【図２】
2010502390.tif 000013
【図３】
2010502390.tif 000014
【図４】
2010502390.tif 000015
【図５Ａ】
2010502390.tif 000016
【図５Ｂ】
2010502390.tif 000017
【図５Ｃ】
2010502390.tif 000018
【図５Ｄ】
2010502390.tif 000019
【図６Ａ】
2010502390.tif 000020
【図６Ｂ】
2010502390.tif 000021
【図６Ｃ】
2010502390.tif 000022
【図７】
2010502390.tif 000023
【図８】
2010502390.tif 000024
【図９】
2010502390.tif 000025
【図１０】
2010502390.tif 000026
【図１１】
2010502390.tif 000027
【図１２】
2010502390.tif 000028
【図１３】
2010502390.tif 000029
【図１４】
2010502390.tif 000030
【図１５】
2010502390.tif 000031
【図１６】
2010502390.tif 000032
【図１７】
2010502390.tif 000033
【図１８】
2010502390.tif 000034
【図１９】
2010502390.tif 000035
【図２０】
2010502390.tif 000036
【図２１】
2010502390.tif 000037
【図２２Ａ】
2010502390.tif 000038
【図２２Ｂ】
2010502390.tif 000039
【図２３】
2010502390.tif 000040
【図２４】
2010502390.tif 000041
【図２５】
2010502390.tif 000042
【図２６】
2010502390.tif 000043
【図２７】
2010502390.tif 000044
【図２８Ａ】
2010502390.tif 000045
【図２８Ｂ】
2010502390.tif 000046
【図２９】
2010502390.tif 000047
【図３０】
2010502390.tif 000048
【図３１Ａ】
2010502390.tif 000049
【図３１Ｂ】
2010502390.tif 000050
【図３２Ａ】
2010502390.tif 000051
【図３２Ｂ】
2010502390.tif 000052
【図３２Ｃ】
2010502390.tif 000053
【図３２Ｄ】
2010502390.tif 000054
【図３２Ｅ】
2010502390.tif 000055
【国際調査報告】
2010502390.tif 000056